(57)【要約】【課題】ブラウザを使ってユーザが各Ｗｅｂサーバを閲覧し、必要とする情報を探し出し、その探し出した情報の内容に応じて手動で配信先の画像形成装置を選ぶといった煩わしさを解消すること等を可能とした画像形成システム、情報配信装置、及び情報配信方法を提供する。【解決手段】ネットワークシステムは、情報を保持するＷｅｂサーバ２０と、Ｗｅｂサーバ２０と通信可能な情報処理装置１１と、情報処理装置１１と通信可能な少なくとも１台以上の画像形成装置１００、１３とを備える。情報処理装置１１のＣＰＵ１１ｄは、Ｗｅｂサーバ２０が保持する情報をネットワーク経由で取得し、前記情報に対して所定の検索条件で検索し、検索結果に応じた画像形成情報を配信先として指定された画像形成装置１００または画像形成装置１３に配信する。【選択図】      図１
2004265315.tif 000002
【特許請求の範囲】
【請求項１】
情報を保持する情報保持装置と、前記情報保持装置と通信可能な情報配信装置と、前記情報配信装置と通信可能な少なくとも１台以上の画像形成装置とを備え、
前記情報配信装置は、前記情報保持装置が保持する情報をネットワーク経由で取得し、前記情報に対して所定の検索条件で検索し、検索結果に応じた画像形成情報を配信先として指定された前記画像形成装置に配信する制御手段を備えることを特徴とする画像形成システム。
【請求項２】
情報を保持する情報保持装置と、画像形成装置とに通信可能な情報配信装置であって、
前記情報保持装置が保持する情報をネットワークを介して取得する取得手段と、
入力された検索条件に従って、前記取得手段により取得された情報に対して検索を行う検索手段と、
前記検索条件に合致した場合、画像形成情報を、配信先として指定された画像形成装置に配信する制御手段とを有することを特徴とする情報配信装置。
【請求項３】
前記検索条件を示す検索式と、配信先となる画像形成装置とを指定可能な操作部とを有することを特徴とする請求項２に記載の情報配信装置。
【請求項４】
前記検索手段による検索を行うタイミングを指定可能なタイミング入力手段を有し、
前記検索手段は、前記タイミング入力手段を介して指定されたタイミングで検索を行うことを特徴とする請求項２或いは３に記載の情報配信装置。
【請求項５】
前記検索手段による検索が有効となる期間を指定可能な期間入力手段を有し、
前記検索手段は、前記期間入力手段を介して指定された期間だけ検索を行うことを特徴とする請求項２乃至４のいずれかに記載の情報配信装置。
【請求項６】
前記情報配信装置は印刷機能を有する画像形成装置であることを特徴とする請求項２乃至５のいずれかに記載の情報配信装置。
【請求項７】
情報を保持する情報保持装置と、画像形成装置とに通信可能な情報配信装置で行われる情報配信方法であって、
前記情報保持装置が保持する情報をネットワークを介して取得する取得ステップと、
前記検索条件に合致した場合、前記取得ステップにより取得された情報に対して検索を行う検索ステップと、
検索結果に応じて、画像形成情報を、配信先として指定された画像形成装置に配信する制御ステップとを有することを特徴とする情報配信方法。
【請求項８】
ユーザにより指定された、前記検索条件を示す検索式または配信先となる画像形成装置を入力する入力ステップとを有することを特徴とする請求項７に記載の情報配信方法。
【請求項９】
ユーザにより指定された、前記検索ステップによる検索を行うタイミングをタイミング入力ステップを有し、
前記検索ステップは、前記タイミング入力ステップで入力されたタイミングで検索を行うことを特徴とする請求項７或いは８に記載の情報配信方法。
【請求項１０】
ユーザにより指定された、前記検索ステップによる検索が有効となる期間を指定可能な期間入力ステップを有し、
前記検索ステップは、前記期間入力ステップ入力期間だけ検索を行うことを特徴とする請求項７乃至９のいずれかに記載の情報配信方法。
【発明の詳細な説明】
【０００１】
【発明の属する技術分野】
本発明は、情報処理装置によりＷｅｂサーバから検索した情報を画像形成装置に配信し印刷する場合に適用して好適な画像形成システム、情報配信装置、及び情報配信方法に関する。
【０００２】
【従来の技術】
従来、Ｗｅｂサーバに対しネットワークを介して接続し、Ｗｅｂサーバ上の情報をｈｔｔｐ（ｈｙｐｅｒｔｅｘｔ  ｔｒａｎｓｆｅｒ  ｐｒｏｔｏｃｏｌ）プロトコルに従いアクセスするための、コンピュータ上のソフトウエアであるブラウザが知られている。ユーザがＷｅｂサーバのアドレスをブラウザから指定することで、指定したアドレスに対応するＷｅｂサーバ上の情報を引き出し、ブラウザの画面でその情報を参照することができる。また、Ｗｅｂサーバ上の情報をコンピュータに接続されているプリンタにより印刷する場合、情報をブラウザの画面に表示した状態で、印刷に使用するプリンタを指定すると共に該指定したプリンタに対し印刷指示を行うことで、Ｗｅｂサーバ上の情報を印刷することができる。
【０００３】
【発明が解決しようとする課題】
しかしながら、上述した従来技術においては下記のような問題があった。即ち、ユーザが必要とするＷｅｂサーバの情報を印刷したい場合、ユーザがブラウザからＷｅｂサーバのアドレスを指定し、Ｗｅｂサーバの情報の中から必要とする情報を探し出し、必要とする情報を見つけたら、情報を印刷するプリンタをユーザが手動による入力で指定し、指定したプリンタにより印刷するといった手間がかかっていた。
【０００４】
例えば、或るメーカにおいて毎朝、競合他社の新製品情報をコンピュータのブラウザで検索し、新製品情報を見つけたらメーカ内の商品企画部門に設置されているプリンタにより新製品情報を印刷する、或いは、メーカが保有する技術に関する情報をコンピュータのブラウザから検索し、情報を見つけたらメーカ内の開発部門に設置されているプリンタにより情報を印刷する、といったような情報の検索及び当該情報を各部門に配信して印刷する配信印刷を毎回手作業で行わなければならないという煩わしさがあった。即ち、必要としている情報の種類やその情報に応じた配布先が多いほど、人的な手間が非常に大きいという問題があった。
【０００５】
本発明の目的は、ブラウザを使ってユーザが各Ｗｅｂサーバを閲覧し、必要とする情報を探し出し、その探し出した情報の内容に応じて手動で配信先の画像形成装置を選ぶといった煩わしさを解消すること等を可能とした画像形成システム、情報配信装置、及び情報配信方法を提供することにある。
【０００６】
【課題を解決するための手段】
上述の目的を達成するため、請求項１記載の画像形成システムは、情報を保持する情報保持装置と、前記情報保持装置と通信可能な情報処理装置と、前記情報処理装置と通信可能な少なくとも１台以上の画像形成装置とを備え、前記情報処理装置は、前記情報保持装置が保持する情報をネットワーク経由で取得し、前記情報に対して所定の検索条件で検索し、検索結果に応じた画像形成情報を配信先として指定された前記画像形成装置に配信する制御手段を備えることを特徴とする。
【０００７】
また、上述の目的を達成するため、請求項２記載の情報配信装置は、情報を保持する情報保持装置と、画像形成装置とに通信可能な情報配信装置であって、前記情報保持装置が保持する情報をネットワークを介して取得する取得手段と、入力された検索条件に従って、前記取得手段により取得された情報に対して検索を行う検索手段と、前記検索条件に合致した場合、画像形成情報を、配信先として指定された画像形成装置に配信する制御手段とを有することを特徴とする。
【０００８】
また、上述の目的を達成するため、請求項７記載の情報配信方法は、情報を保持する情報保持装置と、画像形成装置とに通信可能な情報配信装置で行われる情報配信方法であって、前記情報保持装置が保持する情報をネットワークを介して取得する取得ステップと、前記検索条件に合致した場合、前記取得ステップにより取得された情報に対して検索を行う検索ステップと、検索結果に応じて、画像形成情報を、配信先として指定された画像形成装置に配信する制御ステップとを有することを特徴とする。
【０００９】
【発明の実施の形態】
以下、本発明の実施の形態を図面を参照して詳細に説明する。
【００１０】
［第１の実施の形態］
図１は第１の実施の形態に係るネットワークシステムにおける画像形成装置１００の構成及び画像形成装置１００と周辺機器との接続関係を示すブロック図である。画像形成装置１００は、リーダ部１と、プリンタ部２と、モデム通信部４、ネットワーク処理部７、ＰＤＬ（Ｐａｇｅ  Ｄｅｓｃｒｉｐｔｉｏｎ  Ｌａｎｇｕａｇｅ）展開部８、コア部１０を有するコントローラ部３と、操作部５００とを備えた複写機として構成されている。図中、４はネットワーク、１１は情報処理装置、１３は画像形成装置、１４はファクシミリ装置、１５は公衆回線網、２０はＷｅｂサーバ、２１はインターネット網である。尚、図１に示すネットワークシステムの構成は一例であり、図示の構成に限定されるものではない。
【００１１】
リーダ部１は、画像形成装置にセットされた原稿の画像を読み取り、原稿画像に応じた画像データをコア部１０を介してプリンタ部２へ出力する。プリンタ部２は、リーダ部１から出力された画像データに応じた画像を記録紙上に印刷する。コントローラ部３は、リーダ部１、プリンタ部２、操作部５００と接続されると共に、ネットワーク４を介して情報処理装置１１、画像形成装置１３、Ｗｅｂサーバ２０と接続され、公衆回線網１５を介してファクシミリ装置１４と接続されている。モデム通信部４は、変復調動作を行う。ネットワーク処理部７は、ネットワーク４との間のインタフェースを司る。ＰＤＬ展開部８は、ＰＤＬデータの展開処理を行う。コア部１０は、リーダ部１、プリンタ部２、操作部５００とネットワーク処理部７、ＰＤＬ展開部８、モデム通信部４との間のデータ送受を行う。
【００１２】
情報処理装置１１は、パーソナルコンピュータ（ＰＣ）またはワークステーション（ＷＳ）であり、記憶手段であるハードディスク１１ａ、キーボードから構成される入力装置１１ｂ、例えばＬＣＤディスプレイから構成される表示装置１１ｃ、制御手段であるＣＰＵ１１ｄを備えている。ハードディスク１１ａは、後述の図５等に示す検索式等の情報を格納している。入力装置１１ｂは、各種のデータ入力や指示を行う際に用いる。表示装置１１ｃは、ハードディスク１１ａ等の記憶手段に記憶されている検索式等の情報を表示するために用いる。ＣＰＵ１１ｄは、プログラムに基づき後述の図６のフローチャートに示す処理を実行する。
【００１３】
情報処理装置１１は、Ｗｅｂサーバ２０からインターネット網２１を介してＷｅｂ情報を引き出す。また、情報処理装置１１は、ハードディスク１１ａに予め登録されている検索式の検索結果に応じて、ハードディスク１１ａに予め配信先として登録されている画像形成装置１００または画像形成装置１３に対し、Ｗｅｂサーバ２０から引き出したＷｅｂ情報の画像形成情報をネットワーク４を介して送信し、画像形成装置１００または画像形成装置１３によりＷｅｂ情報を印刷させる。検索式と配信先の登録は、キーボード等の入力装置１１ｂで行う。また、情報処理装置１１は、印刷すべきＷｅｂ情報をＰＤＬデータに変換し、該ＰＤＬデータをＷｅｂ情報の画像形成情報として、ネットワーク１４を介して画像形成装置１００に送信する。
【００１４】
画像形成装置１００は、情報処理装置１１から送信されてきたＷｅｂ情報の画像形成情報（ＰＤＬデータ）をネットワーク処理部７を介してコア部１０に送出し、更にＰＤＬ展開部８においてＰＤＬデータをプリンタ部２で印刷可能とする画像データに展開し、画像データをコア部１０を介してプリンタ部２に出力することで、プリンタ部２により画像を印刷する。
【００１５】
また、画像形成装置１００は、例えば、リーダ部１により読み取った原稿の画像データをコア部１０及びモデム通信部４を経由し公衆回線網１５を介してファクシミリ装置１４または他のファクシミリ装置（図示略）に送信する。或いは、画像形成装置１００は、ファクシミリ装置１４または他のファクシミリ装置（図示略）から送信された画像データを公衆回線網１５、モデム通信部４、コア部１０を介して受信し、プリンタ部２により受信画像を印刷する。
【００１６】
画像形成装置１３は、画像形成装置１００と同様に、情報処理装置１１から送信されたＷｅｂ情報の画像形成情報、即ちＰＤＬデータを受信し、印刷する。画像形成装置１３の内部構成は画像形成装置１００と全く同じである。上述したように、情報処理装置１１がハードディスク１１ａに予め登録されている検索式の検索結果に応じて、ハードディスク１１ａに予め配信先として登録されている画像形成装置１００または画像形成装置１３に対し、Ｗｅｂサーバ２０から引き出したＷｅｂ情報の画像形成情報をネットワーク４を介して送信し、画像形成装置１００または画像形成装置１３によりＷｅｂ情報を印刷させる。
【００１７】
図２は画像形成装置１００の概略的な内部構造の例を示す構成図である。画像形成装置１００は、画像形成装置本体５０、デッキ１５０、循環式自動原稿送り装置（ＲＤＦ）１８０、後処理装置（フィニッシャ）１９０から大略構成されている。尚、画像形成装置１３の内部構造も同様であるが、図示及び説明は省略する。
【００１８】
画像形成装置本体５０は、プラテンガラス１０１、スキャナ１０２、走査ミラー１０５、１０６、レンズ１０８、ＣＣＤセンサ（イメージセンサ部）１０９、感光体ドラム１１０、１次帯電器１１２、前露光ランプ１１４、クリーニング装置１１６、転写帯電器１１８、露光制御部１２０、現像器１２１、転写ベルト１３０、上段カセット１３１、下段カセット１３２、ピックアップローラ１３３、１３４、給紙ローラ１３５、１３６、レジストローラ１３７、吸着帯電器１３８、転写ベルトローラ１７０、定着前帯電器１３９、１４０、定着器１４１、排紙ローラ１４２、排紙フラッパ１５４、反転パス１５５、再給紙トレイ１５６、多重フラッパ１５７、搬送パス１５８、給紙ローラ１５９、経路１６０、排出ローラ１６１、第１の送りローラ１６２、第２の送りローラ１６２ａ、反転ローラ１６３等を備えている。
【００１９】
上記図１に示した画像形成装置１００のリーダ部１は、図２のプラテンガラス１０１〜ＣＣＤセンサ１０９に対応し、上記図１に示した画像形成装置１００のプリンタ部２は、図２の感光体ドラム１１０〜反転ローラ１６３に対応する。
【００２０】
先ず、リーダ部１について詳述する。プラテンガラス１０１は、読取対象の原稿が載置される原稿載置台である。スキャナ１０２は、原稿照明ランプ１０３、走査ミラー１０４等で構成される。スキャナ１０２は、不図示のモータにより所定方向に往復走査されることにより、原稿の反射光１０７を、走査ミラー１０４〜１０６を介してレンズ１０８を透過させてＣＣＤセンサ１０９に結像する。ＣＣＤセンサ１０９に結像した光学像はＣＣＤセンサ１０９により電気信号に変換され、ＣＣＤセンサ１０９付近に配設されている図示しないスキャナ画像処理部によってＡ／Ｄ変換及びシェーディング補正が行われ、後述するコア部１０のゲートアレイ３２６を介してメモリ３２４にデジタル画像データとして蓄積される。
【００２１】
次に、プリンタ部２について詳述する。露光制御部１２０は、レーザ、ポリゴンスキャナ等から構成されており、上記コア部１０のメモリ３２４に蓄積されたデジタル画像データを該メモリ３２４から読み出す。更に、後述するコア部１０のゲートアレイ３２６がデジタル画像データをビデオ信号に変換し、Ｉ／Ｆ３２５を介してプリンタ部２に送る。そして、露光制御部１２０は、そのビデオ信号に基づいて変調されたレーザ光１２９を感光体ドラム１１０に照射する。
【００２２】
感光体ドラム１１０の周囲には、１次帯電器１１２、現像器１２１、転写帯電器１１８、クリーニング装置１１６、前露光ランプ１１４が配置されている。感光体ドラム１１０を中心とした画像形成部１２６において、感光体ドラム１１０は、不図示のモータにより図中矢印方向に回転しており、１次帯電器１１２により所定の電位に帯電された後、露光制御部１２０からのレーザ光１２９が照射され、感光体ドラム上に静電潜像が形成される。
【００２３】
一方、上段カセット１３１或いは下段カセット１３２からピックアップローラ１３３或いは１３４により給紙された記録紙は、給紙ローラ１３５或いは１３６により画像形成装置本体内に送られた後、更にレジストローラ１３７により転写ベルト１３０の転写位置に給紙され、感光体ドラム１１０上に可視化されたトナー像が転写帯電器１１８により記録紙に転写される。吸着帯電器１３８は、レジストローラ１３７から送られた記録紙を転写ベルト１３０に吸着させる。転写ベルトローラ１７０は、転写ベルト１３０の回転に用いられると同時に、吸着帯電器１３８と対になって転写ベルト１３０に記録紙を吸着帯電させる。
【００２４】
転写後の感光体ドラム１１０は、クリーニング装置１１６により残留トナーが清掃され、前露光ランプ１１４により残留電荷が消去される。転写後の記録紙は、転写ベルト１３０から分離され、定着前帯電器１３９、１４０によりトナーが再帯電され、定着器１４１に送られ加圧、加熱により定着され、排紙ローラ１４２により画像形成装置本体５０の外部に排出される。
【００２５】
画像形成装置本体５０には、上述した上段カセット１３１、下段カセット１３２の他に、例えば４０００枚の記録紙を収納し得るデッキ１５０が装備されている。デッキ１５０のリフタ１５１は、給紙ローラ１５２に記録紙が常に当接するように記録紙の量に応じて上昇する。また、画像形成装置本体５０には、例えば１００枚の記録紙を収容し得るマルチ手差し１５３が装備されている。
【００２６】
排紙フラッパ１５４は、両面記録（記録紙の両面に画像を形成する）側の経路ないし多重記録（記録紙の同じ面に複数ページ分の画像を形成する）側の経路と排紙側の経路とを切り替える。排紙ローラ１４２により送り出された記録紙は、この排紙フラッパ１５４により両面記録側ないし多重記録側に切り替えられる。多重フラッパ１５７は、両面記録側と多重記録側の経路を切り替えるものであり、該多重フラッパ１５７を左方向に倒すことにより、反転パス１５５を介さずに直接、搬送パス１５８に記録紙を導く。給紙ローラ１５９は、経路１６０を介して記録紙を感光体ドラム１１０側に給紙する。
【００２７】
排出ローラ１６１は、排紙フラッパ１５４の近傍に配置されており、排紙フラッパ１５４により排出側に切り替えられた記録紙を画像形成装置本体５０の外部に排出する。両面記録（両面複写）時には、排紙フラッパ１５４を上方に上げて多重フラッパ１５７を右に倒し、記録（複写）済みの記録紙を反転パス１５５を介した後、多重フラッパ１５７を左に倒し、搬送パス１５８を介して裏返した状態で再給紙トレイ１５６に格納する。また、多重記録（多重複写）時には、排紙フラッパ１５４を上方に上げて多重フラッパ１５７を左に倒し、記録（複写）済みの記録紙を搬送パス１５８を介した後、再給紙トレイ１５６に格納する。再給紙トレイ１５６に格納されている記録紙が、下から１枚ずつ給紙ローラ１５９により経路１６０を介してレジストローラ１３７に導かれる。
【００２８】
画像形成装置本体５０から記録紙を反転して排出する時には、排紙フラッパ１５４を上方へ上げて多重フラッパ１５７を右方向へ倒し、記録（複写）済みの記録紙を搬送パス１５５側へ搬送し、記録紙の後端が第１の送りローラ１６２を通過した後に、反転ローラ１６３によって第２の送りローラ１６２ａ側へ搬送し、排出ローラ１６１によって記録紙を裏返して画像形成装置本体５０の外部へ排出する。また、画像形成装置本体５０の外部へ排出された記録紙は、後処理装置（フィニッシャ）１９０に搬送される。
【００２９】
後処理装置（フィニッシャ）１９０は、画像形成装置本体５０で印刷された記録紙をスタックする装置である。パス１９３は、画像形成装置本体５０で印刷された記録紙を受け取る経路である。ローラ１９７は、パス１９３を介して搬送された記録紙をパス１９５或いはパス１９６に送り出すものである。記録紙をパス１９５へ送り出すには、排紙フラッパ１９４を下方に移動させ、記録紙をパス１９６へ送り出すには、排紙フラッパ１９４を上方に移動させる。そして、記録紙がパス１９６を通った場合は、ローラ１９８によってビン１９２に排紙される。記録紙がパス１９５を取った場合は、そのままビン１９２に排紙される。例えば、画像形成装置本体５０で複写を行った場合は、記録紙をビン１９１に排紙し、画像形成装置本体５０でＰＤＬプリント（情報処理装置１１からのＰＤＬデータに基づく印刷）を行った場合は、ビン１９２に排紙することで、ユーザの利便性が上がる。
【００３０】
図３は画像形成装置のコア部１０の構成を示すブロック図である。コア部１０は、インタフェース３２０、インタフェース３２２、インタフェース３２７、インタフェース３２８、データ処理部３２１、データ処理部３２６、ＣＰＵ３２３、メモリ３２４を備えている。
【００３１】
リーダ部１から出力された画像データは、インタフェース（以下Ｉ／Ｆ）３２２を介してデータ処理部３２１へ転送される。データ処理部３２１では、画像の回転処理や変倍処理などの画像処理を行う。データ処理部３２１で画像処理された画像データは、ＣＰＵ３２３を介してメモリ３２４にデジタル画像データとして蓄積される。また、データ処理部３２１で画像処理された画像データは、操作部５００からの制御コマンドに応じて、ＣＰＵ３２３、データ処理部３２６、Ｉ／Ｆ３２７を介してプリンタ部２へ転送されるか、または、インタフェース部３２０を介してモデム通信部４、ネットワーク処理部７へ転送される。
【００３２】
また、ネットワーク処理部７を介して外部から入力された画像を表すコードデータは、Ｉ／Ｆ３２０を介してＣＰＵ３２３へ転送され、ＣＰＵ３２３がコードデータをＰＤＬコードデータであると判定した場合、該ＰＤＬコードデータをＩ／Ｆ３２０を介してＰＤＬ展開部８へ転送し、ＰＤＬ展開部８により画像ビットマップデータに展開する。この画像ビットマップデータは、Ｉ／Ｆ３２０、ＣＰＵ３２３を介してメモリ３２４へ蓄積されていく。その後、画像ビットマップデータは、ＣＰＵ３２３、データ処理部３２６、Ｉ／Ｆ３２７を介してプリンタ部２へ転送され、プリンタ部２により記録紙に印刷される。
【００３３】
モデム通信部４を介して入力されたファクシミリ装置１４からのファクシミリ画像データは、Ｉ／Ｆ３２０、ＣＰＵ３２３を介してデータ処理部３２６へ転送された後、Ｉ／Ｆ３２７を介してプリンタ部２へ転送され、プリンタ部２により記録紙に印刷される。
【００３４】
ＣＰＵ３２３は、メモリ３２４に記憶されている制御プログラム、及び、Ｉ／Ｆ３２８経由で操作部５００から受けた制御コマンドに従って、上記のような制御を行う。また、メモリ３２４はＣＰＵ３２３の作業領域としても使われる。
【００３５】
このように、本画像形成装置では、コントローラ部３のコア部１０を中心に、原稿画像の読み取り、画像の印刷、画像の送受信、画像の保存、コンピュータからのデータの入出力などの機能を複合させた処理を行うことが可能である。
【００３６】
図４は画像形成装置の操作部５００（図１参照）の表示部に表示される基本画面を示す説明図である。尚、操作部５００の画面はタッチパネルから構成されており、それぞれ表示される機能の枠内を触れることにより、その機能が実行される。
【００３７】
コピーモードキー５２４は、複写動作を行う場合に押すキーである。このコピーモードキー５２４が押されたときに、コピーモードの画面５３０を表示する。拡張機能キー５０１は、このキーを押すことによって両面複写、多重複写、移動、綴じ代の設定、枠消しの設定等のモードに入る。ステータスライン５４０は、画像形成装置の各部の状態や印刷情報を示すメッセージを表示する。図示の場合、フィニッシャ１９０にエラーが発生しており、エラーコードが５４０であることを示している。画像モードキー５０２は、このキーを押すことによって複写画像に対して網掛け、影付け、トリミング、マスキングを行うための設定モードに入る。
【００３８】
ユーザモードキー５０３は、モードメモリの登録、標準モード画面の設定を行うことができる。応用ズームキー５０４は、このキーを押すことによって原稿のＸ方向、Ｙ方向を独立に変倍するモード、原稿サイズと複写サイズから変倍率を計算するズームプログラムのモードに入る。Ｍ１キー５０５、Ｍ２キー５０６、Ｍ３キー５０７は、それぞれのキーに対応付けて登録されたモードメモリを呼び出す際に押すキーである。オプションキー５０９は、フィルムから画像を直接複写する際に、フィルムプロジェクタ等のオプション機能の設定を行うキーである。
【００３９】
ソータキー５１０は、ソート（記録紙を仕分ける排紙）、ノンソート（記録紙を仕分けない排紙）、グループ（同一ページの記録紙を複数部ずつに仕分ける排紙）の設定を行うキーである。原稿混載キー５１１は、循環式自動原稿送り装置１８０の原稿フィーダにＡ４サイズとＡ３サイズまたはＢ５サイズとＢ４サイズの原稿を一緒にセットする際に押すキーである。等倍キー５１２は、複写倍率を１００％にする際に押すキーである。縮小キー５１４、拡大キー５１５は、画像の縮小、拡大を行う際に押すキーである。用紙選択キー５１３は、記録紙の選択を行う際に押すキーである。
【００４０】
濃度キー５１８は、該キーを押す毎に濃く複写される。濃度キー５２０は、該キーを押す毎に薄く複写される。濃度表示５１７は、濃度キー５１８、５２０を押すとその表示が左右に変化する。ＡＥキー５１９は、新聞のように地肌の濃い原稿を自動濃度調整複写するときに押すキーである。ＨＩＦＩキー５２１は、写真原稿のように中間調の濃度が濃い原稿を複写するときに押すキーである。文字強調キー５２２は、文字原稿の複写で文字を際だたせたい場合に押すキーである。ガイドキー５２３は、当該キーの機能が分からないとき押すキーであり、そのキーの説明が表示される。
【００４１】
ファクスキー５２５は、ファクシミリ通信を行うときに押すキーである。ファイルキー５２６は、ファイルデータを出力したいときに押すキーである。プリンタキー５２７は、プリントの濃度を変更する、或いはリモートのホストコンピュータからのＰＤＬデータのプリント出力詳細情報を参照したい場合に押すキーである。縮退履歴キー５５０は、このキーを押下することで、印刷済みのジョブの履歴情報を画面５３０に表示することができる。例えば、印刷ジョブの、終了時刻、ユーザ名、ファイル名、印刷枚数等の情報を表示することができる。
【００４２】
図５は情報処理装置１１のハードディスク１１ａに登録されている検索アドレス・キーワード・検索式・配信先を示す図である。
【００４３】
４２０はアドレス一覧であり、Ｗｅｂ情報の検索対象となるＷｅｂサーバ２０のアドレスの一覧を示している。例えば、情報処理装置１１がＷｅｂ情報の検索を行う場合、アドレス４２１、アドレス４２２にそれぞれ対応するＷｅｂサーバからＷｅｂ情報を引き出す。４０１はキーワード群であり、検索式で使うキーワードが記憶されている。例えば、４０２〜４０５に、キーワードとして図示の文字列（「新製品」（１）、「複写機」（２）、「ＡＢＣ技術」（３）、「ＸＹＺ技術」（４））が記憶されている。
【００４４】
４０６は検索式であり、＊はＡＮＤ（論理積）、＋はＯＲ（論理和）を示す。例えば、４０７の検索式（１＊２）では、キーワード４０２且つキーワード４０３があるときヒットとなる。つまり、「新製品」且つ「複写機」の場合、ヒットとなる。同様に、４０８の検索式（２＊３＋２＊４）では、キーワード４０３且つキーワード４０４またはキーワード４０３且つキーワード４０５があるときヒットとなる。つまり、「複写機」且つ「ＡＢＣ技術」または「複写機」且つ「ＸＹＺ技術」の場合、ヒットとなる。
【００４５】
４０９は、配信先であり、４０７の検索式でヒットした場合、そのＷｅｂ情報を４１０で示す画像形成装置において印刷可能なＰＤＬデータ等のデータに変換し、４１０の画像形成装置により印刷する。同様に、４０８の検索式でヒットした場合、そのＷｅｂ情報を４１１で示す画像形成装置において印刷可能なＰＤＬデータ等のデータに変換し、４１１の画像形成装置により印刷する。例えば、Ｗｅｂ情報に「新製品」且つ「複写機」が含まれていた場合、「商品企画のｉＲ３２５０」という画像形成装置（図１の１００）にそのＷｅｂ情報を印刷できる形で送信し、印刷する。Ｗｅｂ情報に「複写機」且つ「ＡＢＣ技術」または「複写機」且つ「ＸＹＺ技術」が含まれていた場合、「開発部のｉＲ５０００」という画像形成装置（図１の１３）にそのＷｅｂ情報を印刷できる形で送信し、印刷する。
【００４６】
図６は情報処理装置１１のＣＰＵ１１ｄの処理を示すフローチャートである。本フローチャートに示す処理は情報処理装置１１のＣＰＵ１１ｄがプログラムに基づき実行する。
【００４７】
ステップＳ１０１では、情報処理装置１１のＣＰＵ１１ｄは検索するＷｅｂサーバのアドレス、つまり図５の４２０に記憶されているＷｅｂサーバのアドレスに対しアクセスし、そのアドレスにおける情報を引き出す。情報はＨＴＭＬ（ＨｙｐｅｒＴｅｘｔ  Ｍａｒｋｕｐ  Ｌａｎｇｕａｇｅ）形式で記述されている。先ず、ＣＰＵ１１ｄはアドレスＮｏ．１に対してアクセスする。ステップＳ１０２では、ＣＰＵ１１ｄは図５の４０１、４０６にそれぞれ示したキーワード及び検索式によって、上記情報の内容に対して検索を行う。先ず、ＣＰＵ１１ｄはＮｏ．１の検索式により検索する。ステップＳ１０３では、ＣＰＵ１１ｄはＮｏ．１の検索式でヒットしたか否かを判定する。Ｎｏ．１の検索式でヒットした場合は、ステップＳ１０４で、ＣＰＵ１１ｄは対応する配信先（図５の場合は４１０の画像形成装置）に対し上記情報をＰＤＬデータに変換して送信し、印刷する。
【００４８】
ステップＳ１０５では、ＣＰＵ１１ｄは全ての検索式が終了したか否かを判定する。全ての検索式が終了していない場合は、ステップＳ１０３に戻る。全ての検索式が終了した場合は、ステップＳ１０６に移行する。図５の場合、Ｎｏ．１の検索式が終わったら、次にＮｏ．２の検索式により検索し、Ｎｏ．２の検索式が終わったら、ステップＳ１０６へ移行する。ステップＳ１０６では、ＣＰＵ１１ｄは全てのアドレスに対して検索が終わったか否かを判定する。全てのアドレスに対して検索が終わっていない場合は、ステップＳ１０２に戻る。全てのアドレスに対して検索が終わった場合は、リターンする。図５の場合、Ｎｏ．１のアドレスのＷｅｂサーバに対して検索が終わった場合は、次にＮｏ．２のアドレスのＷｅｂサーバに対して検索し、Ｎｏ．２アドレスのＷｅｂサーバに対する検索が終わった場合は、リターンする。
【００４９】
以上説明したように、本実施の形態によれば、各Ｗｅｂサーバが保持する情報に対し、情報処理装置１１に登録されている検索式に従って自動的に検索し、検索式の検索結果に応じて、情報処理装置１１に予め配信先として登録されている画像形成装置へ自動的に画像形成情報を配信し印刷するため、従来のように、ブラウザを使ってユーザが各Ｗｅｂサーバを閲覧し、必要とする情報を探し出し、その探し出した情報の内容に応じて手動で配信先の画像形成装置を選ぶといった煩わしさを解消することができるという効果がある。
【００５０】
［第２の実施の形態］
本発明の第２の実施の形態における画像形成装置の構成及び画像形成装置と周辺機器との接続関係（図１）、画像形成装置の内部構造（図２）、画像形成装置のコア部の構成（図３）、画像形成装置の操作部に表示される基本画面（図４）は、第１の実施の形態と同様であり、詳細は上述したので説明を省略する。
【００５１】
図７は情報処理装置１１の表示装置１１ｃに表示されるアドレス設定画面を示す図である。図示の例は、検索を行う対象となるＷｅｂサーバのアドレスの様子を示している。図示のアドレスは、情報処理装置１１のハードディスク１１ａに記憶されている。
【００５２】
６２０はアドレス一覧であり、Ｗｅｂ情報の検索対象となるＷｅｂサーバ２０のアドレスの一覧を示している。例えば、情報処理装置１１がＷｅｂ情報の検索を行う場合、アドレス６２１、アドレス６２２にそれぞれ対応するＷｅｂサーバからＷｅｂ情報を引き出す。アドレスを入力または変更する場合は、マウスポインタ（図示略）で６２１または６２２を指し、入力装置１１ｂを用いてアドレスの文字列を入力する。６２３、６２４はそれぞれ上スクロールキー、下スクロールキーであり、アドレス設定の表示をそれぞれ上、下へスクロールする場合に用いる。
【００５３】
６２５は戻るキーであり、入力した文字列を無効にし、基本画面に戻る場合に用いる。６２６はＯＫキーであり、入力した文字列を有効にし、上記メイン画面に戻る場合に用いる。上スクロールキー６２３、下スクロールキー６２４、戻るキー６２５、ＯＫキー６２６は、マウスポインタをその位置に移動させクリックすることで押すことになる。
【００５４】
図８は情報処理装置１１の表示装置１１ｃに表示される配信設定画面を示す図である。図示の例は、検索を行う対象となるＷｅｂサーバのアドレスに対し、それらＷｅｂサーバの情報の内容に対するキーワード、検索式、配信先を表示している様子を示している。図示のキーワード、検索式、配信先は、情報処理装置１１のハードディスク１１ａに記憶されている。
【００５５】
６０１はキーワード群であり、検索式で使うキーワードが記憶されている。例えば、６０２〜６０５に、キーワードとして図示の文字列（「新製品」「複写機」「ＡＢＣ技術」「ＸＹＺ技術」）が記憶されている。
【００５６】
６０６は検索式であり、＊はＡＮＤ、＋はＯＲを示す。例えば、６０７の検索式（１＊２）では、キーワード６０２且つキーワード６０３があるときヒットとなる。つまり、「新製品」且つ「複写機」の場合、ヒットとなる。同様に、６０８の検索式（２＊３＋２＊４）では、キーワード６０３且つキーワード６０４またはキーワード６０３且つキーワード６０５の場合、ヒットとなる。つまり、「複写機」且つ「ＡＢＣ技術」または「複写機」且つ「ＸＹＺ技術」の場合、ヒットとなる。
【００５７】
６０９は配信先であり、６０７の検索式でヒットした場合、そのＷｅｂ情報を６１０で示す画像形成装置で印刷可能なＰＤＬデータなどのデータに変換し、６１０の画像形成装置により印刷する。同様に、６０８の検索式でヒットした場合、そのＷｅｂ情報を６１１で示す画像形成装置で印刷可能なＰＤＬデータなどのデータに変換し、６１１の画像形成装置により印刷する。例えば、Ｗｅｂ情報に「新製品」且つ「複写機」が含まれていた場合、「商品企画のｉＲ３２５０」という画像形成装置（図１の１００）にそのＷｅｂ情報を印刷できる形で送信し、印刷する。Ｗｅｂ情報に「複写機」且つ「ＡＢＣ技術」または「複写機」且つ「ＸＹＺ技術」が含まれていた場合、「開発部のｉＲ５０００」という画像形成装置（図１の１３）にそのＷｅｂ情報を印刷できる形で送信し、印刷する。キーワード、検索式、配信先は、マウスポインタ（図示略）で指し、入力装置１１ｂを使って入力または変更することができる。
【００５８】
６１２、６１３はそれぞれ上スクロールキー、下スクロールキーであり、キーワードの画面をそれぞれ上、下スクロールする場合に用いる。６１４、６１５はそれぞれ上スクロールキー、下スクロールキーであり、検索式、配信先の画面をそれぞれ上、下スクロールする場合に用いる。６１６は戻るキーであり、キーワード、検索式、配信先で入力または変更した値を無効にし、基本画面に戻る場合に用いる。６１７はＯＫキーであり、キーワード、検索式、配信先で入力または変更した値を有効にし、基本画面に戻る場合に用いる。上スクロールキー６１２、６１４、下スクロールキー６１３、６１５、戻るキー６１６、ＯＫキー６１７は、マウスポインタをその位置に移動させクリックすることで押すことになる。
【００５９】
以上説明したように、本実施の形態によれば、Ｗｅｂサーバが保持する情報を検索する場合に、検索式と配信先は、情報処理装置１１の表示装置１１ｃ、入力装置１１ｂを介して入力することができるため、検索式と配信先の入力時における操作性や視認性が向上するという効果がある。
【００６０】
［第３の実施の形態］
本発明の第３の実施の形態における画像形成装置の構成及び画像形成装置と周辺機器との接続関係（図１）、画像形成装置の内部構造（図２）、画像形成装置のコア部の構成（図３）、画像形成装置の操作部に表示される基本画面（図４）は、第１の実施の形態と同様であり、詳細は上述したので説明を省略する。
【００６１】
図９は情報処理装置１１の表示装置１１ｃに表示される検索設定画面を示す図である。図示の例は、検索を行う対象となるＷｅｂサーバのアドレスに対し、検索を行うタイミングと、検索を行う有効期間を表示している様子を示している。尚、検索設定画面からの設定内容は情報処理装置１１のハードディスク１１ａに記憶される。
【００６２】
６５０はアドレス一覧であり、Ｗｅｂ情報の検索を行う対象となるＷｅｂサーバのアドレスを示している。例えば、６５３、６５４に検索を行う対象となるＷｅｂサーバのアドレスが表示されており、マウスポインタ（図示略）をそれぞれの表示場所に指してクリックし、入力装置１１ｂからアドレスの文字列を入力または変更することができる。
【００６３】
６５１は時刻一覧であり、検索を行うタイミングとなる時刻を表示している。例えば、６５９、６６０で毎日、検索を行うタイミングとなる時刻を表示している。上記同様、マウスポインタ（図示略）をそれぞれの表示場所に指してクリックし、入力装置１１ｂから時刻を入力または変更することができる。
【００６４】
６５２は有効期間一覧であり、検索（検索式）が有効である有効期間を表示している。例えば、６６１では、有効期間が制限ないことを示しており、６６２では有効期間が２００１年１１月３０日までであることを示している。結局、アドレスａｂｃ．ｃｏ．ｊｐに対して、毎日２２：００に検索し、検索の期間として制限なし、アドレスａｂｃ−ｄｅｆ．ｃｏ．ｊｐに対して、毎日８：００に検索し、検索の期間として２００１年１１月３０日までであることを示している。
【００６５】
６５５、６５６はそれぞれ上スクロールキー、下スクロールキーであり、検索設定の画面をそれぞれ上、下スクロールする場合に用いる。６５７は戻るキーであり、検索設定画面に表示されているアドレス、時刻、有効期間で入力または変更した値を無効にし、基本画面に戻る場合に用いる。６５８はＯＫキーであり、検索設定画面に表示されているアドレス、時刻、有効期間で入力または変更した値を有効にし、基本画面に戻る場合に用いる。上スクロールキー６５５、下スクロールキー６５６、戻るキー６５７、ＯＫキー６５８は、マウスポインタをその位置に移動させクリックすることで押すことになる。
【００６６】
以上説明したように、本実施の形態によれば、Ｗｅｂサーバから検索を行うタイミングを情報処理装置１１の表示装置１１ｃ、入力装置１１ｂを介して設定し、情報処理装置１１のハードディスク１１ａに記憶することができるため、Ｗｅｂサーバから例えば毎日定刻に必要な情報をＷｅｂサーバから検索し、検索した情報に対応した配信先へ情報を配信し印刷することで、従来のような、毎回定刻に手作業で検索及び配信を行うといった煩わしさを解消することができ、且つ、情報処理装置１１が備える時計機能を使えば、確実なタイミングで情報を配信し印刷することができる利便性も高まるという効果がある。
【００６７】
また、検索が有効となる期間を情報処理装置１１の表示装置１１ｃ、入力装置１１ｂを介して設定し、情報処理装置１１のハードディスク１１ａに記憶することができるため、ユーザにとって必要な期間だけ情報を検索式に従って引き出し、引き出した情報を配信し印刷することができ、ユーザにとって必要のない期間に情報が配信され印刷されてしまうといった無駄を回避することができるという効果がある。
【００６８】
［第４の実施の形態］
本発明の第４の実施の形態における画像形成装置の構成及び画像形成装置と周辺機器との接続関係（図１）、画像形成装置の内部構造（図２）、画像形成装置のコア部の構成（図３）、画像形成装置の操作部に表示される基本画面（図４）は、第１の実施の形態と同様であり、詳細は上述したので説明を省略する。
【００６９】
図１０は情報処理装置１１の表示装置１１ｃに表示されるユーザＩＤ及びパスワード入力画面を示す図である。図示の例は、情報処理装置１１を使用する人のユーザＩＤとパスワードを入力させ、表示している様子を示している。
【００７０】
７０１はユーザＩＤ入力欄であり、マウスポインタ（図示略）をこの欄に指してクリックし、キーボード１１ｂから使用者が自分のユーザＩＤを入力する。７０２は、パスワード入力欄であり、マウスポインタ（図示略）をこの欄に指してクリックし、キーボード１１ｂから使用者が自分のパスワードを入力する。入力したユーザＩＤ、パスワードが、予め情報処理装置１１のハードディスク１１ａに登録されているユーザＩＤ、パスワードの組み合わせと一致した場合は認証し、一致しなかった場合は認証しない。
【００７１】
認証した場合、上記図７のアドレス設定画面、上記図８の配信画面は、認証したユーザＩＤ用の画面に切り替わる。即ち、ユーザＩＤとして１１１１１、２２２２２をそれぞれ持つ２名のユーザが登録されている場合、ユーザＩＤ１１１１１、２２２２２を持つユーザそれぞれ別々の、アドレス設定画面と配信設定画面が表示されることになる。そのため、情報処理装置１１のハードディスク１１ａに記憶されている上記図５に示した検索式（検索条件）と配信先についても、ユーザＩＤ１１１１１、２２２２２それぞれ別々に記憶されることになる。検索式（検索条件）と配信先の変更についても、ユーザ１１１１１、２２２２２それぞれについてだけが可能となる。また、ユーザＩＤ１１１１１、２２２２２それぞれの検索式で検索し配信先で印刷した枚数をそれぞれ記憶するユーザ枚数カウンタが、情報処理装置１１のハードディスク１１ａに記憶される。
【００７２】
図１１、図１２はユーザＩＤ１１１１１、２２２２２それぞれに対応して情報処理装置１１のハードディスク１１ａに記憶されている検索アドレス、キーワード、検索式、配信先、排紙カウンタを示す図である。
【００７３】
図１１の７０１はユーザＩＤ格納領域であり、ユーザＩＤが１１１１１用の設定であることを示している。７０２は検索アドレスである。７０３、７０４はキーワードであり、検索式で用いる。７０５は検索式であり、７０６は配信先である。例えば、ユーザＩＤで１１１１１は、アドレスａｂｃ．ｃｏ．ｊｐのＷｅｂの内容に対して、「新製品」且つ「プリンタ」で検索し、ヒットしたら、配信先として「設計１課のｉＲ」という名称のプリンタに対し、Ｗｅｂ情報をＰＤＬデータに変換して配信し印刷する。印刷した枚数は、排紙カウンタ７０７にカウントアップされる。図１１によると、合計１２３枚印刷したことを示している。
【００７４】
同様に、図１２の７２１はユーザＩＤ格納領域であり、ユーザＩＤが２２２２２用の設定であることを示している。７２１は検索アドレスである。７２３、７２４はキーワードであり、検索式で用いる。７２５は検索式であり、７２６は配信先である。例えば、ユーザＩＤで２２２２２は、アドレスａｂｃ．ｃｏ．ｊｐのＷｅｂの内容に対して、「デジタルカメラ」且つ「ＸＸＸ技術」で検索し、ヒットしたら、配信先として「設計２課のｉＲ」という名称のプリンタに対し、Ｗｅｂの情報をＰＤＬデータに変換して配信し印刷する。印刷した枚数は、排紙カウンタ７２７にカウントアップされる。図１２によると、合計４５６枚印刷したことを示している。
【００７５】
以上説明したように、本実施の形態によれば、情報処理装置１１上でユーザＩＤ毎に検索式と配信先を入力することができ、且つ、検索式による検索結果に応じてユーザＩＤ毎に、配信先の画像形成装置で印刷した枚数を情報処理装置１１上でカウントすることができるので、ユーザ毎の印刷枚数の管理を行うことができる利便性があるという効果がある。
【００７６】
また、各ユーザにとって自分が登録した検索式と配信先だけを閲覧できるので、各ユーザにとって検索式と配信先のデータの管理が容易になるという効果がある。
【００７７】
［第５の実施の形態］
本発明の第５の実施の形態における画像形成装置の構成及び画像形成装置と周辺機器との接続関係（図１）、画像形成装置の内部構造（図２）、画像形成装置のコア部の構成（図３）、画像形成装置の操作部に表示される基本画面（図４）は、第１の実施の形態と同様であり、詳細は上述したので説明を省略する。
【００７８】
図１３は情報処理装置１１のハードディスク１１ａに記憶される履歴情報を、情報処理装置１１の表示装置１１ｂに表示した履歴画面を示す図である。
【００７９】
８０１は配信日時であり、検索式で検索した結果ヒットし、対応する配信先へＷｅｂ情報を送信し印刷した日時を示している。図示の場合、８０２、８０３で具体的に日時を示している。８０４はアドレスであり、検索式で検索した結果ヒットした場合の対象となったＷｅｂサーバのアドレスである。図示の場合、８０５、８０６で具体的にアドレスを示している。８０７は検索式番号であり、検索式で検索した結果ヒットした場合の検索式の番号を示している。８０８で検索式番号が２となっている場合、上記図８のＮｏ．２の「２＊３＋２＊４」の検索式でヒットしたことを示している。８０９で検索式番号が１となっている場合、上記図８のＮｏ．１の「１＊２」の検索式でヒットしたことを示している。８１０は配信先であり、検索式で検索した結果ヒットした場合の配信先を示している。図の場合、８１１、８１２で配信先を具体的に示している。
【００８０】
上記の例によると、２００１年１１月２日１０：０１に、アドレスがａｂｃ．ｃｏ．ｊｐのＷｅｂサーバから検索式番号２でヒットし、そのＷｅｂ情報を開発部の画像形成装置ｉＲ５０００に配信し印刷したことと、２００１年１１月１４日１８：３０に、アドレスがａｂｃ−ｄｅｆ．ｃｏ．ｊｐのＷｅｂサーバから検索式番号１でヒットし、そのＷｅｂ情報を商品企画部の画像形成装置ｉＲ３２５０に配信し印刷したことを示している。
【００８１】
８１３、８１４はそれぞれ上スクロールキー、下スクロールキーであり、履歴画面をそれぞれ上スクロール、下スクロールする場合に、マウスポインタ（図示略）をそこに移動しクリックする。８１５は戻るキーであり、基本画面に戻る場合に、マウスポインタ（図示略）をそこに移動してクリックする。
【００８２】
以上説明したように、本実施の形態によれば、各検索式の検索結果に応じて、情報処理装置１１のハードディスク１１ａに予め登録されている画像形成装置に対して、Ｗｅｂサーバの情報に対応する画像形成情報を配信した場合、情報処理装置１１のハードディスク１１ａにＷｅｂサーバのアドレス、配信先、配信日時等の履歴情報を蓄積するので、配信の後で管理者などが配信の様子を見ることができるという効果がある。
【００８３】
［第６の実施の形態］
図１４は本発明の第６の実施の形態に係る画像形成装置１００の構成及び画像形成装置１００と周辺機器との接続関係を示すブロック図である。画像形成装置１００は、リーダ部１と、プリンタ部２と、モデム通信部４、ネットワーク処理部７、ＰＤＬ展開部８、コア部１０を有するコントローラ部３と、操作部５００とを備えた複写機として構成されている。図中、４はネットワーク、１１は情報処理装置、１３は画像形成装置、１４はファクシミリ装置、１５は公衆回線網、２０はＷｅｂサーバ、２１はインターネット網、３０は画像形成装置、４０は情報処理装置である。尚、図１４に示すシステム構成は一例であり、図示の構成に限定されるものではない。
【００８４】
本構成において第１の実施の形態（図１）で説明した内容と重複する部分の説明は省略し、特徴的な部分のみを説明する。また、画像形成装置１００の内部構造（図２）、コア部１０の構成（図３）、操作部５００に表示される基本画面（図４）は、第１の実施の形態と同様であり説明を省略する。以下では、第１の実施の形態との相異点を中心に説明する。
【００８５】
画像形成装置１００は、コア部１０からネットワーク処理部７、インターネット網２１を介して、Ｗｅｂサーバ２０からＷｅｂ情報を引き出す。また、画像形成装置１００は、画像形成装置１００のメモリ３２４（図３参照）に登録されている検索式の検索結果に応じて、予め配信先としてメモリ３２４に登録されている画像形成装置１００（自機）または１３または３０に対し、Ｗｅｂサーバ２０から引き出したＷｅｂ情報の画像形成情報をネットワーク４を介して送信し、画像形成装置１００または１３でまたは３０によりそのＷｅｂ情報を印刷する。検索式と配信先の登録は、操作部５００で行う。
【００８６】
また、画像形成装置１００は、印刷すべきＷｅｂ情報をＰＤＬデータに変換し、Ｗｅｂ情報の画像形成情報（ＰＤＬデータ）の配信先が画像形成装置１００（自機）の場合は、ＰＤＬ展開部８でＰＤＬデータをプリンタ部２で印刷可能な画像データに展開し、コア部１０を介してプリンタ部２に送信し、プリンタ部２により印刷する。Ｗｅｂ情報の画像形成情報（ＰＤＬデータ）の配信先が画像形成装置１３または３０の場合は、ＰＤＬデータをネットワーク処理部７を介して画像形成装置１３または３０へ転送し、画像形成装置１３または３０により印刷する。
【００８７】
画像形成装置１３は、画像形成装置１００と同様の構造を有する複写機として構成され、画像形成装置１００からＷｅｂ情報の画像形成情報、即ちＰＤＬデータを受信し、印刷する。画像形成装置３０は、プリンタ（例えばレーザビームプリンタ（ＬＢＰ））として構成され、画像形成装置１００からＷｅｂ情報の画像形成情報、即ちＰＤＬデータを受信し、印刷する。但し、画像形成装置１３、３０には、Ｗｅｂ情報をインターネット経由で引き出す機能は無く、画像形成装置１００から送信されるＷｅｂ情報の画像形成情報を印刷する役割を有する。
【００８８】
また、画像形成装置１００のコア部１０のＣＰＵ３２３は、Ｗｅｂサーバ２０からインターネット網２１及びネットワーク４経由で、ネットワーク処理部７、Ｉ／Ｆ３２０を介してＷｅｂ情報を取得する。そして、ＣＰＵ３２３は、予めメモリ３２４に記憶されている検索式に従ってそのＷｅｂ画像形成情報を、データ処理部３２６、Ｉ／Ｆ３２７を介してプリンタ部２により印刷するか、または、Ｉ／Ｆ３２０、ネットワーク処理部７、ネットワーク４を介して画像形成装置３０または１３へ送信し、画像形成装置３０または１３により印刷する。
【００８９】
また、画像形成装置１００の操作部５００の基本画面におけるオプションキー５０９は、Ｗｅｂ機能を使用する場合に押すキーである。このオプションキー５０９を押すと、図１７で示すＷｅｂ設定画面に遷移する。
【００９０】
図１５は画像形成装置１００のコア部１０のメモリ３２４に登録されている検索アドレス・キーワード・検索式・配信先を示す図である。
【００９１】
１４２０はアドレス一覧であり、Ｗｅｂ情報の検索対象となるＷｅｂサーバ２０のアドレスの一覧を示している。例えば、画像形成装置１００がＷｅｂ情報の検索を行う場合、アドレス１４２１、アドレス１４２２に対応するＷｅｂサーバからＷｅｂ情報を引き出す。１４０１はキーワード群であり、検索式で使うキーワードが記憶されている。例えば、１４０２〜１４０５に、キーワードとして図示の文字列（「新製品」「複写機」「ＡＢＣ技術」「ＸＹＺ技術」）が記憶されている。
【００９２】
１４０６は検索式であり、＊はＡＮＤ、＋はＯＲを示す。例えば、１４０７の検索式（１＊２）では、キーワード１４０２且つキーワード１４０３があるときヒットとなる。つまり、「新製品」且つ「複写機」の場合、ヒットとなる。同様に、１４０８の検索式（２＊３＋２＊４）では、キーワード４０３且つキーワード１４０４またはキーワード１４０３且つキーワード１４０５の場合、ヒットとなる。つまり、「複写機」且つ「ＡＢＣ技術」または「複写機」且つ「ＸＹＺ技術」の場合、ヒットとなる。
【００９３】
１４０９は配信先であり、１４０７の検索式でヒットした場合、そのＷｅｂ情報を１４１０で示す画像形成装置により印刷可能なＰＤＬデータなどの情報に変換し、１４１０の画像形成装置により印刷する。同様に、１４０８の検索式でヒットした場合、１４１１で示す画像形成装置により印刷する。例えば、Ｗｅｂ情報に「新製品」且つ「複写機」が含まれていた場合、そのＷｅｂ情報をデータ処理部３２６で印刷できる形に変換してから、「商品企画のＬＢＰ−８５０」という画像形成装置（図１の３０）に対しネットワーク処理部７、ネットワーク４を介して送信し、印刷する。Ｗｅｂ情報に「複写機」且つ「ＡＢＣ技術」または「複写機」且つ「ＸＹＺ技術」が含まれていた場合、そのＷｅｂ情報をデータ処理部３２６で印刷できる形に変換してから、「開発部のｉＲ５０００」という画像形成装置（図１の１３）に対しネットワーク処理部７、ネットワーク４を介して送信し、印刷する。
【００９４】
また、例えば、配信先が「開発部のｉＲ５０００」の代わりに「開発部のｉＲ３２５０」であった場合、つまり、配信先が画像形成装置１００（自機）であった場合で、Ｗｅｂ情報に「複写機」且つ「ＡＢＣ技術」または「複写機」且つ「ＸＹＺ技術」が含まれていたときは、そのＷｅｂ情報をデータ処理部３２６で印刷できる形に変換し、Ｉ／Ｆ３２７を介してプリンタ部２へ送り、印刷する。
【００９５】
図１６は画像形成装置１００のコア部１０のＣＰＵ３２３の処理を示すフローチャートである。本フローチャートに示す処理はＣＰＵ３２３がプログラムに基づき実行する。
【００９６】
ステップＳ１１０１では、ＣＰＵ３２３は検索するＷｅｂサーバのアドレス、つまり図１５の１４２０に記憶されているＷｅｂサーバのアドレスに対しアクセスし、そのアドレスにおける情報を引き出す。情報はＨＴＭＬ形式で記述されている。先ず、ＣＰＵ３２３はアドレスＮｏ．１に対してアクセスする。ここで、アドレスは「ｈｔｔｐ：／／ｗｗｗ．」を省略している。ステップＳ１１０２では、図１５の１４０１、１４０６にそれぞれ示したキーワード及び検索式によって、上記情報の内容に対して検索を行う。先ず、Ｎｏ．１の検索式により検索する。ステップＳ１１０３では、ＣＰＵ３２３はＮｏ．１の検索式でヒットしたか否かを判定する。Ｎｏ．１の検索式でヒットした場合、ステップＳ１１０４で、ＣＰＵ３２３は対応する配信先（図１５の場合は１４１０の画像形成装置）に対し上記情報をＰＤＬデータに変換して送信し、印刷する。
【００９７】
ステップＳ１１０５では、ＣＰＵ３２３は全ての検索式が終了したかを判定する。全ての検索式が終了していない場合は、ステップＳ１１０３に戻る、全ての検索式が終了した場合は、ステップＳ１１０６に移行する。図１５の場合、Ｎｏ．１の検索式が終わったら、次にＮｏ．２の検索式により検索し、Ｎｏ．２の検索式が終わったら、ステップＳ１１０６に移行する。ステップＳ１１０６では、全てのアドレスに対して検索が終わったか否かを判定し、まだならステップＳ１１０２に戻る。終わったらリターンする。図１５の場合、Ｎｏ．１のアドレスのＷｅｂサーバに対して検索が終わったら、次にＮｏ．２のアドレスのＷｅｂサーバに対して検索し、Ｎｏ．２のアドレスが終わったらリターンする。
【００９８】
以上説明したように、本実施の形態によれば、各Ｗｅｂサーバが保持する情報に対し、画像形成装置１００に登録されている検索式に従って自動的に検索し、検索式の検索結果に応じて、画像形成装置１００に予め配信先として登録されている自機或いは他の画像形成装置へ自動的に画像形成情報を配信し印刷するため、従来のように、ブラウザを使ってユーザが各Ｗｅｂサーバを閲覧し、必要とする情報を探し出し、その探し出した情報の内容に応じて手動で配信先の画像形成装置を選ぶといった煩わしさを解消することができるという効果がある。
【００９９】
また、画像形成装置１００がＷｅｂアクセス機能を有するため、Ｗｅｂサーバにアクセスするための情報処理装置を用意する必要がないという効果がある。
【０１００】
［第７の実施の形態］
本発明の第７の実施の形態における画像形成装置の構成及び画像形成装置と周辺機器との接続関係（図１５）、画像形成装置の内部構造（図２）、画像形成装置のコア部の構成（図３）、画像形成装置の操作部に表示される基本画面（図４）は、第６の実施の形態と同様であり、詳細は上述したので説明を省略する。
【０１０１】
図１７は画像形成装置１００の操作部５００に表示される基本画面（図４）において、オプションキー５０９を押したときに表示されるＷｅｂ設定画面を示す図である。
【０１０２】
１８５１はアドレス設定キーであり、このキー１８５１を押すことで、検索対象となるＷｅｂサーバのアドレスを設定することができる。１８５２は配信設定キーであり、このキー１８５２を押すことで、Ｗｅｂサーバから受信したＷｅｂ情報に対する検索式と、検索式の検索結果に応じた印刷配信先を設定することができる。１８５３は詳細設定キーであり、このキー１８５３を押すことで、例えば、検索するタイミングや期間を設定することができる。１８５４は履歴表示キーであり、このキー１８５４を押すことで、例えば、検索したＷｅｂアドレス、検索式、日時、配信先の履歴を表示することができる。１８５５は戻るキーであり、このキー１８５５を押すことで、図４の基本画面に戻ることができる。
【０１０３】
図１８は画像形成装置１００の操作部５００に表示されるアドレス設定画面を示す図である。
【０１０４】
上記図１７のＷｅｂ設定画面上でアドレス設定キー１８５１を押した場合、このアドレス設定画面に移る。図示の例は、Ｗｅｂ情報の検索を行う対象となるＷｅｂサーバのアドレスの様子を示している。図示の内容は、画像形成装置１００のメモリ３２４に記憶されている。
【０１０５】
１６２０はアドレス一覧であり、検索対象となるＷｅｂサーバ２０のアドレスの一覧を示している。例えば、画像形成装置１００がＷｅｂ情報の検索を行う場合、アドレス１６２１、アドレス１６２２にそれぞれ対応するＷｅｂサーバからＷｅｂ情報を引き出す。アドレスを入力または変更する場合、１６２１または１６２２をタッチし、キーボードパネル（図示略）を用いてアドレスの文字列を入力する。１６２３、１６２４はそれぞれ上スクロールキー、下スクロールキーであり、アドレス設定の表示をそれぞれ上、下へスクロールする場合に用いる。１６２５は戻るキーであり、入力した文字列を無効にし、図１７の基本画面に戻る場合に用いる。１６２６はＯＫキーであり、入力した文字列を有効にし、図１７の基本画面に戻る場合に用いる。
【０１０６】
図１９は画像形成装置１００の操作部５００に表示される配信設定画面を示す図である。図示の例は、Ｗｅｂ情報の検索を行う対象となるＷｅｂサーバのアドレスに対し、Ｗｅｂ情報の内容に対するキーワード、検索式、配信先を表示している様子を示している。図示の内容は、画像形成装置１００のメモリ３２４に記憶されている。
【０１０７】
１６０１はキーワード群であり、検索式で使うキーワードが記憶されている。例えば、１６０２〜１６０５に、キーワードとして図示の文字列（「新製品」「複写機」「ＡＢＣ技術」「ＸＹＺ技術」）が記憶されている。
【０１０８】
１６０６は検索式であり、＊はＡＮＤ、＋はＯＲを示す。例えば、１６０７の検索式（１＊２）では、キーワード１６０２且つキーワード１６０３があるときヒットとなる。つまり、「新製品」且つ「複写機」の場合、ヒットとなる。同様に、１６０８の検索式（２＊３＋２＊４）では、キーワード１６０３且つキーワード１６０４またはキーワード１６０３且つキーワード１６０５の場合、ヒットとなる。つまり、「複写機」且つ「ＡＢＣ技術」または「複写機」且つ「ＸＹＺ技術」の場合、ヒットとなる。
【０１０９】
１６０９は配信先であり、１６０７の検索式でヒットした場合、そのＷｅｂ情報を１６１０で示す画像形成装置により印刷可能なＰＤＬなどの情報に変換し、１６１０の画像形成装置により印刷する。同様に、１６０８の検索式でヒットした場合、１６１１で示す画像形成装置により印刷する。例えば、Ｗｅｂ情報に「新製品」且つ「複写機」が含まれていた場合、「商品企画のＬＢＰ−８５０」という画像形成装置（図１の３０）に対しそのＷｅｂ情報を印刷できる形で送信し、印刷する。Ｗｅｂ情報に「複写機」且つ「ＡＢＣ技術」または「複写機」且つ「ＸＹＺ技術」が含まれていた場合、「開発部のｉＲ５０００」という画像形成装置（図１の１３）に対しそのＷｅｂ情報を印刷できる形で送信し、印刷する。キーワード、検索式、配信先は、キーボードパネル（図示略）から入力または変更することができる。
【０１１０】
１６１２、１６１３はそれぞれ上スクロールキー、下スクロールキーであり、キーワードの画面をそれぞれ上、下スクロールする場合に用いる。１６１４、１６１５はそれぞれ上スクロールキー、下スクロールキーであり、検索式、配信先の画面をそれぞれ上、下スクロールする場合に用いる。１６１６は戻るキーであり、キーワード、検索式、配信先で入力または変更した値を無効にし、基本画面に戻る場合に用いる。１６１７はＯＫキーであり、キーワード、検索式、配信先で入力または変更した値を有効にし、基本画面に戻る場合に用いる。
【０１１１】
尚、上記例の場合、画像形成装置１００の操作部５００を介して、画像形成装置１００のメモリ３２４に対しアドレス設定、配信設定を行ったが、画像形成装置１３の操作部を介して、上記同様にアドレス設定、配信設定の操作を行い、その情報をネットワーク４及び画像形成装置１００のネットワーク処理部７を介して、画像形成装置１００のメモリ３２４に対して設定し格納してもよい。
【０１１２】
更に、上記例の場合、画像形成装置１００の操作部５００を介して、画像形成装置１００のメモリ３２４に対しアドレス設定、配信設定を行ったが、情報処理装置（ホストコンピュータ）４０のディスプレイ、キーボードを介して、上記同様にアドレス設定、配信設定を行い、その情報をネットワーク４及び画像形成装置１００のネットワーク処理部７を介して、画像形成装置１００のメモリ３２４に対して設定し格納してもよい。
【０１１３】
以上説明したように、本実施の形態によれば、検索式と配信先は、画像形成装置１００の操作部５００から入力することができるため、検索式と配信先の入力のために情報処理装置を用意する必要がないという効果がある。
【０１１４】
また、検索式と配信先の入力を行う機器として、情報の配信を行う画像形成装置１００に限らず、画像形成装置１００に接続されたＷｅｂアクセス機能がない他の配信先となる画像形成装置でもよいため、わざわざ配信元の画像形成装置１００の設置場所まで行って検索式と配信先の入力を行う必要がなくなる利便性があるという効果がある。
【０１１５】
また、検索式と配信先の入力を行う機器は、Ｗｅｂアクセス機能がない安価な画像形成装置でもよいため、コストがかからないという効果がある。
【０１１６】
［第８の実施の形態］
本発明の第８の実施の形態における画像形成装置の構成及び画像形成装置と周辺機器との接続関係（図１５）、画像形成装置の内部構造（図２）、画像形成装置のコア部の構成（図３）、画像形成装置の操作部に表示される基本画面（図４）は、第６の実施の形態と同様であり、詳細は上述したので説明を省略する。
【０１１７】
図２０は画像形成装置１００の操作部５００に表示される検索設定画面を示す図である。図示の例は、Ｗｅｂ情報の検索を行う対象となるＷｅｂサーバのアドレスに対し、検索を行うタイミングと、検索を行う有効期間を表示している様子を示している。
【０１１８】
１６５０はアドレス一覧であり、Ｗｅｂ情報の検索を行う対象となるＷｅｂサーバのアドレスを示している。例えば、１６５３、１６５４にそれぞれ検索を行う対象となるＷｅｂサーバのアドレスが表示されており、それぞれの表示場所をタッチし、キーボードパネル（図示略）から入力することで、アドレスの文字列を入力または変更することができる。
【０１１９】
１６５１は時刻一覧であり、検索を行うタイミングとなる時刻を表示している。例えば、１６５９、１６６０で毎日、検索を行うタイミングとなる時刻を表示している。上記同様、それぞれの表示場所をタッチし、キーボードパネル（図示略）から入力することで、時刻を入力または変更することができる。
【０１２０】
１６５２は有効期間一覧であり、検索が有効である有効期間を示している。例えば、１６６１では有効期間に制限ないことを示しており、１６６２では有効期間が２００１年１１月３０日までであることを示している。結局、アドレスａｂｃ．ｃｏ．ｊｐに対して、毎日２２：００に検索し、検索の有効期間として制限なし、アドレスａｂｃ−ｄｅｆ．ｃｏ．ｊｐに対して、毎日８：００に検索し、検索の有効期間として２００１年１１月３０日までであることを示している。
【０１２１】
１６５５、１６５６はそれぞれ上スクロールキー、下スクロールキーであり、検索設定画面をそれぞれ上、下スクロールする場合に用いる。１６５７は戻るキーであり、検索設定画面に表示されているアドレス、時刻、有効期間で入力または変更した値を無効にし、図１７の基本画面に戻る場合に用いる。１６５８はＯＫキーであり、検索設定画面に表示されているアドレス、時刻、有効期間で入力または変更した値を有効にし、図１７の基本画面に戻る場合に用いる。上記設定した検索設定値は、画像形成装置１００のメモリ３２４に格納される。
【０１２２】
尚、上記例の場合、画像形成装置１００の操作部５００を介して、画像形成装置１００のメモリ３２４に対し検索タイミングの設定を行ったが、画像形成装置１３の操作部を介して、上記同様に検索タイミングの設定の操作を行い、その情報をネットワーク４及び画像形成装置１００のネットワーク処理部７を介して、画像形成装置１００のメモリ３２４に対して設定し格納してもよい。
【０１２３】
更に、上記例の場合、画像形成装置１００の操作部５００を介して、画像形成装置１００のメモリ３２４に対し検索タイミングの設定を行ったが、情報処理装置（ホストコンピュータ）４０のディスプレイ、キーボードを使用して、上記同様に検索タイミングの設定を行い、その情報をネットワーク４及び画像形成装置１００のネットワーク処理部７を介して、画像形成装置１００のメモリ３２４に対して設定し格納してもよい。
【０１２４】
以上説明したように、本実施の形態によれば、Ｗｅｂ情報の検索を行うタイミングを画像形成装置１００の操作部５００から設定し、画像形成装置１００のメモリ３２４に記憶することができるため、例えば毎日定刻に必要な情報をＷｅｂサーバから検索し、検索した情報に対応した配信先へ情報を送信して印刷することで、従来のような、毎回定刻に手作業で情報の検索及び配信を行うといった煩わしさを解消することができ、且つ、画像形成装置の時計機能を使えば、確実なタイミングで情報の配信及び印刷を行うことができる利便性も高まるという効果がある。
【０１２５】
また、画像形成装置１００が上記のような情報検索及び情報配信の機能を備えることで、情報処理装置を必要としないという効果もある。
【０１２６】
また、検索を行うタイミングを、配信元の画像形成装置１００とは別の画像形成装置の操作部から入力し、別の画像形成装置から配信元の画像形成装置１００に対し、検索を行うタイミングと配信先を送信し、配信元の画像形成装置１００のメモリ３２４に記憶することができるため、例えば毎日定刻に必要な情報をＷｅｂサーバから検索し、検索した情報に対応した配信先へ情報を配信し印刷することで、従来のような、毎回定刻に手作業で情報の検索及び配信を行うといった煩わしさを解消することができ、且つ、画像形成装置１００が時計機能を備える場合、その時計機能を使えば、確実なタイミングで情報の配信及び印刷を行うことができる利便性も高まるという効果がある。
【０１２７】
また、検索を行うタイミングの入力を行う機器として、配信元の画像形成装置１００に限らず、画像形成装置１００に接続するＷｅｂアクセス機能のない他の配信先となる画像形成装置でもよいので、わざわざ配信元の画像形成装置１００の設置場所まで行って検索を行うタイミングの入力を行う必要がなくなる利便性があるという効果がある。
【０１２８】
また、検索を行うタイミングの入力を行う機器は、Ｗｅｂアクセス機能がない安価な画像形成装置でもよいため、コストがかからないという効果がある。
【０１２９】
また、各検索式が有効となる有効期間を画像形成装置１００の操作部５００から設定し、画像形成装置１００のメモリ３２４に記憶することができるため、ユーザにとって必要な期間だけ情報を検索式に従って引き出し、引き出した情報を配信し印刷することができ、ユーザにとって必要のない期間に情報が配信され印刷されてしまうといった無駄を回避することができるという効果がある。
【０１３０】
また、各検索式が有効となる有効期間を、配信元の画像形成装置１００とは別の画像形成装置の操作部から入力し、別の画像形成装置から配信元の画像形成装置１００に対し、各検索式が有効となる有効期間と配信先を送信し、配信元の画像形成装置１００のメモリ３２４に記憶することができるため、ユーザにとって必要な期間だけ情報を検索式に従って引き出し、引き出した情報を配信し印刷することができ、ユーザにとって必要のない期間に情報が配信され印刷されてしまうといった無駄を回避することができるという効果がある。
【０１３１】
また、検索が有効となる期間の入力を行う機器は、Ｗｅｂアクセス機能がない安価な画像形成装置でもよいため、コストがかからないという効果がある。
【０１３２】
［第９の実施の形態］
本発明の第９の実施の形態における画像形成装置の構成及び画像形成装置と周辺機器との接続関係（図１５）、画像形成装置の内部構造（図２）、画像形成装置のコア部の構成（図３）、画像形成装置の操作部に表示される基本画面（図４）は、第６の実施の形態と同様であり、詳細は上述したので説明を省略する。
【０１３３】
図２１は画像形成装置１００の操作部５００に表示されるユーザＩＤ及びパスワード入力画面を示す図である。図示の例は、画像形成装置１００を使用する人のユーザＩＤとパスワードを入力させ、表示している様子を示している。
【０１３４】
１７０１はユーザＩＤ入力欄であり、テンキー（図示略）により使用者が自分のユーザＩＤを入力する。１７０２はパスワード入力欄であり、テンキー（図示略）により使用者が自分のパスワードを入力する。入力したユーザＩＤ、パスワードが、画像形成装置１００のメモリ３２４に予め登録されているユーザＩＤ、パスワードの組み合わせと一致した場合は認証し、一致しなかった場合は認証しない。
【０１３５】
認証した場合、図２１のユーザＩＤ及びパスワード入力画面は図４の基本画面に切り替わる。また、図１８のアドレス設定、図１９の配信設定の表示の内容は、それぞれ認証したユーザが設定した内容となる。即ち、ユーザＩＤとして、１１１１１、２２２２２の２名が登録されている場合、ユーザＩＤ１１１１１、２２２２２に対しそれぞれ別々の、アドレス設定、配信設定の画面が表示されることになる。そのため、画像形成装置１００のメモリ３２４に記憶されている検索式（検索条件）と配信先についても、ユーザＩＤ１１１１１、２２２２２それぞれ別々に記憶されることになる。検索式（検索条件）と配信先の変更についても、ユーザＩＤ１１１１１、２２２２２それぞれについてだけが可能となる。また、ユーザＩＤ１１１１１、２２２２２それぞれの検索式で検索し配信先で印刷した枚数をそれぞれ記憶するユーザ枚数カウンタが、メモリ３２４に記憶される。
【０１３６】
図２２、図２３はユーザＩＤ１１１１１、２２２２２それぞれに対応して画像形成装置１００のメモリ３２４に記憶されている検索アドレス、キーワード、検索式、配信先、排紙カウンタを示す図である。
【０１３７】
図２２の１７０１はユーザＩＤ格納領域であり、ユーザＩＤが１１１１１用の設定であることを示している。１７０２は検索アドレスである。１７０３、１７０４はキーワードであり、検索式で用いる。１７０５は検索式であり、１７０６は配信先である。例えば、ユーザＩＤ１１１１１は、アドレスａｂｃ．ｃｏ．ｊｐのＷｅｂの内容に対して「新製品」且つ「プリンタ」で検索し、ヒットしたら、配信先として「設計１課のｉＲ」という名称のプリンタに対しＷｅｂ情報をＰＤＬデータに変換して送信し、印刷する。印刷した枚数は、排紙カウンタ１７０７にカウントアップされる。図２２によると、合計１２３枚印刷したことを示している。
【０１３８】
同様に、図２３の１７２１はユーザＩＤ格納領域であり、ユーザＩＤが２２２２２用の設定であることを示している。１７２１は検索アドレスである。１７２３、１７２４はキーワードであり、検索式で用いる。１７２５は検索式であり、１７２６は配信先である。例えば、ユーザＩＤ２２２２２は、アドレスａｂｃ．ｃｏ．ｊｐのＷｅｂの内容に対して「デジタルカメラ」且つ「ＸＸＸ技術」で検索し、ヒットしたら、配信先として「設計２課のｉＲ」という名称のプリンタに対しＷｅｂ情報をＰＤＬデータに変換して送信し、印刷する。印刷した枚数は、排紙カウンタ１７２７にカウントアップされる。図２３によると、合計４５６枚印刷したことを示している。
【０１３９】
尚、上記例の場合、画像形成装置１００の操作部５００を介して、画像形成装置１００のメモリ３２４に対し、ユーザＩＤ別にアドレスや配信の設定を行ったが、画像形成装置１３の操作部を介して、上記同様にユーザＩＤ別にアドレスや配信の設定の操作を行い、その情報をネットワーク４及び画像形成装置１００のネットワーク処理部７を介して、画像形成装置１００のメモリ３２４に対して設定し格納してもよい。画像形成装置１３で入力されたユーザＩＤとパスワードは、ネットワーク４を介して、画像形成装置１００のメモリ３２４に格納されているユーザＩＤ、パスワードと比較することで、認証を行う。
【０１４０】
更に、上記例の場合、画像形成装置１００の操作部５００を介して、画像形成装置１００のメモリ３２４に対し、ユーザＩＤ別にアドレス設定や配信の設定を行ったが、情報処理装置（ホストコンピュータ）４０のディスプレイ、キーボードを使用して、上記同様にユーザＩＤ別にアドレス設定や配信の設定を行い、その情報をネットワーク４及び画像形成装置１００のネットワーク処理部７を介して、画像形成装置１００のメモリ３２４に対して設定し格納してもよい。情報処理装置（ホストコンピュータ）４０で入力されたユーザＩＤとパスワードは、ネットワーク４を介して、画像形成装置１００のメモリ３２４に格納されているユーザＩＤ、パスワードと比較することで、認証を行う。
【０１４１】
以上説明したように、本実施の形態によれば、画像形成装置１００でユーザＩＤ毎に検索式と配信先を入力することができ、且つ、検索式による検索結果に応じてユーザＩＤ毎に、画像形成装置１００で印刷した枚数を画像形成装置１００上でカウントすることができるので、１台の画像形成装置でユーザ毎の印刷枚数の管理を行うことができる利便性があるという効果がある。
【０１４２】
また、各ユーザにとって自分が登録した検索式と配信先だけを閲覧することができるので、各ユーザにとって検索式と配信先のデータの管理が容易になるという効果がある。
【０１４３】
また、画像形成装置１００の上記の情報検索及び情報配信の機能を実現するために、別途、情報処理装置を設置する必要はないという効果もある。
【０１４４】
また、配信を行う画像形成装置１００とは別の画像形成装置上で、ユーザＩＤ毎に画像形成装置１００における検索式と配信先を入力し、画像形成装置１００へ送信し登録することができ、且つ、検索式による検索結果に応じてユーザＩＤ毎に、配信先の画像形成装置で印刷した枚数を画像形成装置１００上でカウントすることができるので、１台の画像形成装置でユーザ毎の印刷枚数の管理を行うことができる利便性があるという効果がある。
【０１４５】
また、ユーザＩＤ毎の検索式と配信先の入力は、Ｗｅｂアクセス機能がない安価な画像形成装置でもよいため、コストがかからないという効果がある。
【０１４６】
［第１０の実施の形態］
本発明の第１０の実施の形態における画像形成装置の構成及び画像形成装置と周辺機器との接続関係（図１５）、画像形成装置の内部構造（図２）、画像形成装置のコア部の構成（図３）、画像形成装置の操作部に表示される基本画面（図４）は、第６の実施の形態と同様であり、詳細は上述したので説明を省略する。
【０１４７】
図２４は画像形成装置１００のメモリ３２４に記憶される履歴情報を画像形成装置１００の操作部５００に表示した履歴画面を示す図である。上記図１７のＷｅｂ設定画面において履歴キー１８５４を押した場合に図２４の履歴画面に切り替わる。
【０１４８】
１８０１は配信日時であり、検索式で検索した結果ヒットし、対応する配信先へＷｅｂ情報を送信し印刷した日時を示している。図示の場合、１８０２、１８０３で具体的に配信日時を示している。１８０４はアドレスであり、検索式で検索した結果ヒットした場合の対象となったＷｅｂサーバのアドレスである。図示の場合、１８０５、１８０６で具体的にアドレスを示している。
【０１４９】
１８０７は検索式番号であり、検索式で検索した結果ヒットした場合の検索式の番号を示している。１８０８に示すように検索式番号が２となっている場合、上記図１９のＮｏ．２の検索式「２＊３＋２＊４」でヒットしたことを示している。１８０９に示すように検索式番号が１となっている場合、上記図１９のＮｏ．１の検索式「１＊２」でヒットしたことを示している。１８１０は配信先であり、検索式で検索した結果ヒットした場合の配信先を示している、図示の場合、１８１１、１８１２で具体的に配信先を示している。
【０１５０】
上記によると、２００１年１１月２日１０：０１に、アドレスａｂｃ．ｃｏ．ｊｐのＷｅｂサーバから検索式番号２の検索式でヒットし、そのＷｅｂ情報を開発部のｉＲ５０００に配信し印刷し、また、２００１年１１月１４日１８：３０に、アドレスａｂｃ−ｄｅｆ．ｃｏ．ｊｐのＷｅｂサーバから検索式番号１の検索式でヒットし、そのＷｅｂ情報を商品企画のＬＢＰ−８５０に配信し印刷したことを示している。
【０１５１】
１８１３、１８１４はそれぞれ上スクロールキー、下スクロールキーであり、履歴画面をそれぞれ上スクロール、下スクロールする場合に押す。１８１５は戻るキーであり、図１７のＷｅｂ設定画面に戻る場合に押す。
【０１５２】
尚、上記例の場合、画像形成装置１００の操作部５００を介して、画像形成装置１００のメモリ３２４内の履歴情報の表示を行っているが、画像形成装置１００のメモリ３２４内の履歴情報をネットワーク４を介して画像形成装置１３に送信し、画像形成装置１３の操作部を介して、上記同様に表示操作をしてもよい。
【０１５３】
更に、上記例の場合、画像形成装置１００の操作部５００を介して、画像形成装置１００のメモリ３２４内の履歴情報を行っているが、画像形成装置１００のメモリ３２４内の履歴情報をネットワーク４を介して情報処理装置（ホストコンピュータ）４０に送信し、情報処理装置（ホストコンピュータ）４０のディスプレイ、キーボードを介して、上記同様に表示を行ってもよい。
【０１５４】
以上説明したように、本実施の形態によれば、各検索式の検索結果に応じて、画像形成装置１００のメモリ３２４に予め登録されている自機を含む画像形成装置に対して、Ｗｅｂサーバの情報に対する画像形成情報を配信した場合、画像形成装置１００のメモリ３２４にＷｅｂサーバのアドレス、配信先、配信時刻等の履歴情報を蓄積するので、配信の後で管理者などが配信の様子を見ることができるという効果がある。
【０１５５】
また、画像形成装置１００の上記の履歴情報蓄積機能を実現するために、別途、情報処理装置を設置する必要はないという効果もある。
【０１５６】
また、画像形成装置１００に接続する情報処理装置上から、画像形成装置１００に記憶されている検索式を登録及び参照するようにすれば、画像形成装置１００に記憶されている検索式を登録及び参照するために、わざわざ画像形成装置１００の操作部５００を使う必要がなく、利便性が高まるという効果がある。
【０１５７】
また、画像形成装置１００に接続する情報処理装置上から、画像形成装置１００に記憶されているユーザＩＤ、ユーザＩＤに対応した検索式を登録及び参照し、ユーザＩＤに対応した原稿のスキャン枚数、画像の送信枚数、画像の印刷枚数等の計数情報を削除及び参照するようにすれば、画像形成装置１００に記憶されているユーザＩＤ、ユーザＩＤに対応した検索式を登録及び参照し、ユーザＩＤに対応した計数情報を削除及び参照するために、わざわざ画像形成装置１００の操作部５００を使う必要がなく、利便性が高まるという効果がある。
【０１５８】
また、画像形成装置１００に接続する情報処理装置上から、画像形成装置１００に記憶されている履歴情報を削除及び参照するようにすれば、画像形成装置１００に記憶されている履歴情報を削除及び参照するために、わざわざ画像形成装置１００の操作部５００を使う必要がなく、利便性が高まるという効果がある。
【０１５９】
また、画像形成装置１００に接続する情報処理装置上から、画像形成装置１００に記憶される検索を行うタイミングを設定及び参照するようにすれば、画像形成装置１００に記憶されている検索を行うタイミングを設定及び参照するために、わざわざ画像形成装置１００の操作部５００を使う必要がなく、利便性が高まるという効果がある。
【０１６０】
また、画像形成装置１００に接続する情報処理装置上から、画像形成装置１００に記憶される検索式が有効となる期間を設定及び参照するようにすれば、画像形成装置１００に記憶されている検索式が有効となる期間を設定及び参照するために、わざわざ画像形成装置１００の操作部５００を使う必要がなく、利便性が高まるという効果がある。
【０１６１】
尚、上記各実施の形態では、Ｗｅｂサーバの情報を検索し画像形成装置に配信して印刷を行う場合の具体例を図５等に示したが、Ｗｅｂサーバの情報の検索及び配信印刷は特定の分野に限定されるものではなく、製造業、情報通信業、流通サービス業など各種分野に適用することができる。
【０１６２】
また、上記各実施の形態では、画像形成装置として複写機を例に挙げたが、画像形成装置の形態は複写機に限定されるものでなく、プリンタにも適用することができる。
【０１６３】
また、上記各実施の形態では、画像形成装置の印刷方式として電子写真方式を例に挙げたが、画像形成装置の印刷方式は電子写真方式に限定されるものではなく、インクジェット方式、熱転写方式、感熱方式、静電方式、放電破壊方式など他の印刷方式を用いた画像形成装置に適用することができる。
【０１６４】
また、本発明の目的は、実施の形態の機能を実現するソフトウエアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１６５】
この場合、記憶媒体から読み出されたプログラムコード自体が前述した実施の形態の機能を実現することになり、そのプログラムコードを記憶した記憶媒体は本発明を構成することになる。
【０１６６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０１６７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１６８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【０１６９】
［実施態様の例］
本発明の実施態様の例を以下に列挙する。
【０１７０】
「実施態様１」  情報を保持する情報保持装置と、前記情報保持装置と通信可能な情報配信装置と、前記情報配信装置と通信可能な少なくとも１台以上の画像形成装置とを備え、
前記情報配信装置は、前記情報保持装置が保持する情報をネットワーク経由で取得し、前記情報に対して所定の検索条件で検索し、検索結果に応じた画像形成情報を配信先として指定された前記画像形成装置に配信する制御手段と、前記所定の検索条件としての検索式と前記配信先を入力する入力手段と、前記検索式と前記配信先を記憶する記憶手段とを備え、
前記情報保持装置は、Ｗｅｂサーバであることを特徴とする画像形成システム。
【０１７１】
本構成によれば、情報保持装置としてのＷｅｂサーバが保持する情報に対し、検索式に従って検索し、検索式による検索結果に応じて、配信先として指定された画像形成装置へ画像形成情報を配信することで、画像形成装置でＷｅｂサーバの情報を印刷することが可能となる。従って、従来のように、ブラウザを使ってユーザが各Ｗｅｂサーバを閲覧し、必要とする情報を探し出し、その探し出した情報の内容に応じて手動で配信先の画像形成装置を選ぶといった煩わしさを解消することができるという効果がある。
【０１７２】
また、検索式と配信先は、情報配信装置から入力することができるため、検索式と配信先の入力時における操作性や視認性が向上するという効果がある。
【０１７３】
「実施態様２」  前記情報配信装置の前記入力手段により、前記検索を行うタイミングを設定し、前記情報配信装置の前記制御手段は、前記入力手段により設定された前記検索を行うタイミングを前記記憶手段に記憶することを特徴とする実施態様１記載の画像形成システム。
【０１７４】
本構成によれば、検索を行うタイミングを情報配信装置から設定し、情報配信装置に記憶することができるため、例えば毎日定刻に必要な情報をＷｅｂサーバから検索し、検索した情報に対応した配信先へ情報を配信し印刷することで、従来のような、毎回定刻に手作業で情報を検索し配信するといった煩わしさを解消することができ、且つ、情報配信装置が時計機能を備えている場合に、その時計機能を使えば、確実なタイミングで情報を配信し印刷することができる利便性も高まるという効果がある。
【０１７５】
「実施態様３」  前記情報配信装置の前記入力手段により、前記検索が有効となる期間を設定し、前記情報配信装置の前記制御手段は、前記入力手段により設定された前記検索式が有効となる期間を前記記憶手段に記憶することを特徴とする実施態様１記載の画像形成システム。
【０１７６】
本構成によれば、検索式が有効となる期間を情報配信装置から設定し、設定内容を情報配信装置に記憶することができるため、ユーザにとって必要な期間だけ情報を検索式に従って引き出し、引き出した情報を配信し印刷することができ、ユーザにとって必要のない期間に情報が配信され印刷されてしまうといった無駄を回避することができるという効果がある。
【０１７７】
「実施態様４」  前記情報配信装置の前記制御手段は、前記入力手段から入力された前記検索式を前記入力手段から入力されたユーザＩＤと関連付けて前記記憶手段に記憶し、前記ユーザＩＤに関連付けた前記検索式による検索結果に基づいて前記画像形成装置により印刷した印刷枚数を計数し、前記印刷枚数を前記ユーザＩＤと関連付けて前記記憶手段に記憶することを特徴とする実施態様１記載の画像形成システム。
【０１７８】
本構成によれば、情報配信装置上でユーザＩＤ毎に検索式と配信先を入力することができ、且つ、検索式による検索結果に応じてユーザＩＤ毎に、配信先の画像形成装置で印刷した印刷枚数を情報処理装置上で計数することができるので、ユーザ毎の印刷枚数の管理を行うことができる利便性があるという効果がある。また、各ユーザが登録した検索式と配信先を閲覧できるようにすれば、各ユーザにとって検索式と配信先のデータの管理が容易になるという効果がある。
【０１７９】
「実施態様５」  前記情報配信装置の前記制御手段は、前記検索式による検索結果に応じた画像形成情報を、前記記憶手段に配信先として登録されている前記画像形成装置に配信した場合、前記Ｗｅｂサーバのアドレス、配信先、配信日時等の履歴情報を前記記憶手段に蓄積することを特徴とする実施態様１記載の画像形成システム。
【０１８０】
本構成によれば、検索式の検索結果に応じて、情報配信装置の記憶手段に予め登録されている画像形成装置に対して、Ｗｅｂサーバの情報に対応する画像形成情報を配信した場合、情報配信装置の記憶手段にＷｅｂサーバのアドレス、検索式、配信先、配信日時等の履歴情報を蓄積するので、配信の後で管理者などが配信の様子を見ることができるという効果がある。
【０１８１】
「実施態様６」  情報を保持する情報保持装置及び少なくとも１台以上の画像形成装置と通信可能な情報配信装置において、
前記情報保持装置が保持する情報をネットワーク経由で取得し、前記情報に対して所定の検索条件で検索し、検索結果に応じた画像形成情報を配信先として指定された前記画像形成装置に配信する制御手段を備えることを特徴とする情報配信装置。
【０１８２】
「実施態様７」  情報を保持する情報保持装置及び少なくとも１台以上の画像形成装置と通信可能な情報配信装置により実行される情報配信方法において、
前記情報保持装置が保持する情報をネットワーク経由で取得する取得工程と、前記情報に対して所定の検索条件で検索する検索工程と、検索結果に応じた画像形成情報を配信先として指定された前記画像形成装置に配信する制御工程とを備えることを特徴とする情報配信方法。
【０１８３】
「実施態様８」  情報を保持する情報保持装置及び少なくとも１台以上の画像形成装置と通信可能な情報配信装置により情報配信方法を実行するプログラムにおいて、
前記情報保持装置が保持する情報をネットワーク経由で取得する取得機能と、前記情報に対して所定の検索条件で検索する検索機能と、検索結果に応じた画像形成情報を配信先として指定された前記画像形成装置に配信する制御機能を、コンピュータに実現させるためのプログラム。
【０１８４】
「実施態様９」  情報を保持する情報保持装置及び少なくとも１台以上の画像形成装置と通信可能な情報配信装置により情報配信方法を実行するプログラムを記憶したコンピュータにより読み出し可能な記憶媒体において、
前記情報配信方法は、前記情報保持装置が保持する情報をネットワーク経由で取得する取得ステップと、前記情報に対して所定の検索条件で検索する検索ステップと、検索結果に応じた画像形成情報を配信先として指定された前記画像形成装置に配信する制御ステップとを備えることを特徴とする記憶媒体。
【０１８５】
「実施態様１０」  情報を保持する情報保持装置と、前記情報保持装置と通信可能な第１の画像形成装置と、前記第１の画像形成装置と通信可能な少なくとも１台以上の第２の画像形成装置とを備え、
前記第１の画像形成装置は、前記情報保持装置が保持する情報をネットワーク経由で取得し、前記情報に対して所定の検索条件で検索し、検索結果に応じた画像形成情報を配信先として指定された前記第１の画像形成装置又は前記第２の画像形成装置に配信する制御手段を備えることを特徴とする画像形成システム。
【０１８６】
本構成によれば、情報保持装置が保持する情報に対し、検索条件に従って検索し、検索条件による検索結果に応じて、予め配信先として指定された第１の画像形成装置（自機）或いは第２の画像形成装置に画像形成情報を配信し印刷するため、従来のように、ブラウザを使ってユーザが情報保持装置（Ｗｅｂサーバ）を閲覧し、必要とする情報を探し出し、その探し出した内容に応じて手動で配信先の画像形成装置を選ぶといった煩わしさを解消することができるという効果がある。
【０１８７】
「実施態様１１」  前記第１の画像形成装置は、前記所定の検索条件としての検索式と前記配信先を入力する入力手段と、前記検索式と前記配信先を記憶する記憶手段とを備え、
前記情報保持装置は、Ｗｅｂサーバであることを特徴とする実施態様１０記載の画像形成システム。
【０１８８】
本構成によれば、検索式と配信先は、第１の画像形成装置から入力することができるため、入力のために情報処理装置を用意する必要がないという効果がある。また、画像形成装置が情報保持装置としてのＷｅｂサーバから情報を取得する機能、即ちＷｅｂアクセス機能を有するため、Ｗｅｂサーバにアクセスするための情報処理装置を用意する必要がないという効果がある。
【０１８９】
「実施態様１２」  前記第２の画像形成装置は、前記検索式と前記配信先を入力すると共に前記第１の画像形成装置に送信し、前記第１の画像形成装置の前記制御手段は、前記第２の画像形成装置から送信された前記検索式と前記配信先を前記記憶手段に登録することを特徴とする実施態様１０記載の画像形成システム。
【０１９０】
本構成によれば、検索式と配信先の入力を行う機器として、情報の配信を行う第１の画像形成装置に限らず、第１の画像形成装置と通信可能な、Ｗｅｂアクセス機能がない他の配信先となる第２の画像形成装置でもよいため、わざわざ配信元の第１の画像形成装置の設置場所まで行って検索式と配信先の入力を行う必要がなくなる利便性があるという効果がある。また、検索式と配信先の入力を行う機器は、Ｗｅｂアクセス機能がない安価な第２の画像形成装置でもよいため、コストがかからないという効果がある。
【０１９１】
「実施態様１３」  前記第１の画像形成装置の前記入力手段により、前記検索を行うタイミングを設定し、前記第１の画像形成装置の前記制御手段は、前記入力手段により設定された前記検索を行うタイミングを前記記憶手段に記憶することを特徴とする実施態様１１記載の画像形成システム。
【０１９２】
本構成によれば、検索を行うタイミングを第１の画像形成装置から設定し、第１の画像形成装置に記憶することができるため、例えば毎日定刻に必要な情報をＷｅｂサーバから検索し、検索した情報に対応した配信先へ情報を送信して印刷することで、従来のような、毎回定刻に手作業で情報の検索及び配信を行うといった煩わしさを解消することができ、且つ、第１の画像形成装置が時計機能を備える場合、その時計機能を使えば、確実なタイミングで情報の配信及び印刷を行うことができる利便性も高まるという効果がある。更に、第１の画像形成装置が上記のような情報検索及び情報配信の機能を備えることで、情報処理装置を必要としないという効果もある。
【０１９３】
「実施態様１４」  前記第２の画像形成装置は、前記検索を行うタイミングを入力すると共に前記第１の画像形成装置に送信し、前記第１の画像形成装置の前記制御手段は、前記第２の画像形成装置から送信された前記検索を行うタイミングを前記記憶手段に記憶することを特徴とする実施態様１１画像形成システム。
【０１９４】
本構成によれば、検索を行うタイミングを、配信元の第１の画像形成装置とは別の第２の画像形成装置から入力し、第２の画像形成装置から第１の画像形成装置に対し、検索を行うタイミングと配信先を送信し、第１の画像形成装置に記憶することができるため、例えば毎日定刻に必要な情報をＷｅｂサーバから検索し、検索した情報に対応した配信先へ情報を配信し印刷することで、従来のような、毎回定刻に手作業で情報の検索及び配信を行うといった煩わしさを解消することができ、且つ、第１の画像形成装置が時計機能を備える場合、その時計機能を使えば、確実なタイミングで情報の配信及び印刷を行うことができる利便性も高まるという効果がある。また、第１の画像形成装置が上記のような情報検索及び情報配信の機能を備えることで、情報処理装置を必要としないという効果もある。
【０１９５】
更に、検索を行うタイミングの入力を行う機器として、配信元の第１の画像形成装置に限らず、第１の画像形成装置と通信可能な、Ｗｅｂアクセス機能のない他の配信先となる第２の画像形成装置でもよいので、わざわざ配信元の第１の画像形成装置の設置場所まで行って検索を行うタイミングの入力を行う必要がなくなる利便性があるという効果がある。また、検索を行うタイミングの入力を行う機器は、Ｗｅｂアクセス機能がない安価な第２の画像形成装置でもよいため、コストがかからないという効果がある。
【０１９６】
「実施態様１５」  前記第１の画像形成装置の前記入力手段により、前記検索式が有効となる期間を設定し、前記第１の画像形成装置の前記制御手段は、前記入力手段により設定された前記検索式が有効となる期間を前記記憶手段に記憶することを特徴とする実施態様１１記載の画像形成システム。
【０１９７】
本構成によれば、検索式が有効となる有効期間を第１の画像形成装置から設定し、第１の画像形成装置に記憶することができるため、ユーザにとって必要な期間だけ、情報を検索式に従って引き出し、引き出した情報を配信し印刷することができ、ユーザにとって必要のない期間に情報が配信され印刷されてしまうといった無駄を回避することができるという効果がある。また、第１の画像形成装置の上記の情報検索及び情報配信の機能を実現するために、情報処理装置は必要ないという効果がある。
【０１９８】
「実施態様１６」  前記第２の画像形成装置は、前記検索式が有効となる期間を入力すると共に前記第１の画像形成装置に送信し、前記第１の画像形成装置の前記制御手段は、前記第２の画像形成装置から送信された前記検索式が有効となる期間を前記記憶手段に記憶することを特徴とする実施態様１１記載の画像形成システム。
【０１９９】
本構成によれば、検索式が有効となる有効期間を、配信元の第１の画像形成装置とは別の第２の画像形成装置から入力し、第２の画像形成装置から第１の画像形成装置に対し、検索式が有効となる有効期間と配信先を送信し、第１の画像形成装置に記憶することができるため、ユーザにとって必要な期間だけ情報を検索式に従って引き出し、引き出した情報を配信し印刷することができ、ユーザにとって必要のない期間に情報が配信され印刷されてしまうといった無駄を回避することができるという効果がある。また、第１の画像形成装置の上記の情報検索及び情報配信の機能を実現するために、情報処理装置は必要ないという効果がある。更に、検索が有効となる期間の入力を行う機器は、Ｗｅｂアクセス機能がない安価な第２の画像形成装置でもよいため、コストがかからないという効果がある。
【０２００】
「実施態様１７」  前記第１の画像形成装置の前記制御手段は、前記入力手段から入力された前記検索式を前記入力手段から入力されたユーザＩＤと関連付けて前記記憶手段に記憶し、前記ユーザＩＤに関連付けた前記検索式による検索結果に基づいて前記第１の画像形成装置又は前記第２の画像形成装置により印刷した印刷枚数を計数し、前記印刷枚数を前記ユーザＩＤと関連付けて前記記憶手段に記憶することを特徴とする実施態様１１記載の画像形成システム。
【０２０１】
本構成によれば、第１の画像形成装置上でユーザＩＤ毎に検索式と配信先を入力することができ、且つ、検索式による検索結果に応じてユーザＩＤ毎に、第１又は第２の画像形成装置で印刷した枚数を第１の画像形成装置上でカウントすることができるので、１台の画像形成装置でユーザ毎の印刷枚数の管理を行うことができる利便性があるという効果がある。また、各ユーザにとって自分が登録した検索式と配信先だけを閲覧できるようにすれば、各ユーザにとって検索式と配信先のデータの管理が容易になるという効果がある。更に、第１の画像形成装置の上記の情報検索及び情報配信の機能を実現するために、別途、情報処理装置を設置する必要はないという効果もある。
【０２０２】
「実施態様１８」  前記第１の画像形成装置の前記制御手段は、前記第２の画像形成装置から入力された前記検索式を前記第２の画像形成装置から入力されたユーザＩＤと関連付けて前記記憶手段に記憶し、前記ユーザＩＤに関連付けた前記検索式による検索結果に基づいて前記第１の画像形成装置又は前記第２の画像形成装置により印刷した印刷枚数を計数し、前記印刷枚数を前記ユーザＩＤと関連付けて前記記憶手段に記憶することを特徴とする実施態様１１記載の画像形成システム。
【０２０３】
本構成によれば、ユーザＩＤ毎に配信を行う第１の画像形成装置とは別の第２の画像形成装置上で、第１の画像形成装置における検索式と配信先を入力し、第１の画像形成装置へ送信し登録することができ、且つ、検索式による検索結果に応じてユーザＩＤ毎に、配信先の第１又は第２の画像形成装置で印刷した枚数を、第１の画像形成装置上で計数することができるので、１台の画像形成装置でユーザ毎の印刷枚数の管理を行うことができる利便性があるという効果がある。また、各ユーザにとって自分が登録した検索式と配信先だけを閲覧できるようにすれば、各ユーザにとって検索式と配信先のデータの管理が容易になるという効果がある。また、第１の画像形成装置の上記の情報検索及び情報配信の機能を実現するために、別途、情報処理装置を設置する必要はないという効果もある。更に、ユーザＩＤ毎の検索式と配信先の入力は、Ｗｅｂアクセス機能がない安価な第２の画像形成装置でもよいため、コストがかからないという効果がある。
【０２０４】
「実施態様１９」  前記第１の画像形成装置の前記制御手段は、前記検索式による検索結果に応じた画像形成情報を、前記記憶手段に配信先として登録されている前記第１の画像形成装置又は前記第２の画像形成装置に配信した場合、前記Ｗｅｂサーバのアドレス、配信先、配信日時等の履歴情報を前記記憶手段に蓄積することを特徴とする実施態様１１記載の画像形成システム。
【０２０５】
本構成によれば、検索式の検索結果に応じて、第１の画像形成装置に予め登録されている自機を含む画像形成装置に対して、Ｗｅｂサーバの情報に対する画像形成情報を配信した場合、画像形成装置の記憶手段にＷｅｂサーバのアドレス、配信先、配信時刻等の履歴情報を蓄積するので、配信の後で管理者などが配信の様子を見ることができるという効果がある。更に、第１の画像形成装置の上記の履歴情報蓄積機能を実現するために、別途、情報処理装置を設置する必要はないという効果もある。
【０２０６】
「実施態様２０」  前記第１の画像形成装置と通信可能な情報処理装置から、前記第１の画像形成装置に記憶されている前記検索式を登録及び参照することを特徴とする実施態様１０記載の画像形成システム。
【０２０７】
本構成によれば、第１の画像形成装置に記憶されている検索式を登録及び参照するために、わざわざ第１の画像形成装置の操作部を使う必要がなく、利便性が高まるという効果がある。
【０２０８】
「実施態様２１」  前記第１の画像形成装置と通信可能な情報処理装置から、前記第１の画像形成装置に記憶されているユーザＩＤと前記ユーザＩＤに対応した検索式を登録及び参照し、前記ユーザＩＤに対応した原稿のスキャン枚数、画像の送信枚数、画像の印刷枚数等の計数情報を削除及び参照することを特徴とする実施態様１７又は１８記載の画像形成システム。
【０２０９】
本構成によれば、第１の画像形成装置に記憶されているユーザＩＤ、ユーザＩＤに対応した検索式を登録及び参照し、ユーザＩＤに対応した計数情報を削除及び参照するために、わざわざ第１の画像形成装置の操作部を使う必要がなく、利便性が高まるという効果がある。
【０２１０】
「実施態様２２」  前記第１の画像形成装置と通信可能な情報処理装置から、前記第１の画像形成装置に記憶されている前記履歴情報を削除及び参照することを特徴とする実施態様１９記載の画像形成システム。
【０２１１】
本構成によれば、第１の画像形成装置に記憶されている履歴情報を削除及び参照するために、わざわざ第１の画像形成装置の操作部を使う必要がなく、利便性が高まるという効果がある。
【０２１２】
「実施態様２３」  前記第１の画像形成装置と通信可能な情報処理装置から、前記検索を行うタイミングを設定及び参照することを特徴とする実施態様１３記載の画像形成システム。
【０２１３】
本構成によれば、第１の画像形成装置に記憶されている検索を行うタイミングを設定及び参照するために、わざわざ第１の画像形成装置の操作部を使う必要がなく、利便性が高まるという効果がある。
【０２１４】
「実施態様２４」  前記第１の画像形成装置と通信可能な情報処理装置から、前記検索式が有効となる期間を設定及び参照することを特徴とする実施態様１５記載の画像形成システム。
【０２１５】
本構成によれば、第１の画像形成装置に記憶されている検索式が有効となる期間を設定及び参照するために、わざわざ第１の画像形成装置の操作部を使う必要がなく、利便性が高まるという効果がある。
【０２１６】
「実施態様２５」  情報を保持する情報保持装置及び少なくとも１台以上の他の画像形成装置と通信可能な画像形成装置において、
前記情報保持装置が保持する情報をネットワーク経由で取得し、前記情報に対して所定の検索条件で検索し、検索結果に応じた画像形成情報を配信先として指定された前記画像形成装置又は前記他の画像形成装置に配信する制御手段を備えることを特徴とする画像形成装置。
【０２１７】
「実施態様２６」  情報を保持する情報保持装置及び少なくとも１台以上の他の画像形成装置と通信可能な画像形成装置により実行される情報配信方法において、
前記情報保持装置が保持する情報をネットワーク経由で取得する取得工程と、前記情報に対して所定の検索条件で検索する検索工程と、検索結果に応じた画像形成情報を配信先として指定された前記画像形成装置又は前記他の画像形成装置に配信する制御工程とを備えることを特徴とする情報配信方法。
【０２１８】
「実施態様２７」  情報を保持する情報保持装置及び少なくとも１台以上の他の画像形成装置と通信可能な画像形成装置により情報配信方法を実行するプログラムにおいて、
前記情報保持装置が保持する情報をネットワーク経由で取得する取得機能と、前記情報に対して所定の検索条件で検索する検索機能と、検索結果に応じた画像形成情報を配信先として指定された前記画像形成装置又は前記他の画像形成装置に配信する制御機能を、コンピュータに実現させるためのプログラム。
【０２１９】
「実施態様２８」情報を保持する情報保持装置及び少なくとも１台以上の他の画像形成装置と通信可能な画像形成装置により情報配信方法を実行するプログラムを記憶したコンピュータにより読み出し可能な記憶媒体において、
前記情報配信方法は、前記情報保持装置が保持する情報をネットワーク経由で取得する取得ステップと、前記情報に対して所定の検索条件で検索する検索ステップと、検索結果に応じた画像形成情報を配信先として指定された前記画像形成装置又は前記他の画像形成装置に配信する制御ステップとを備えることを特徴とする記憶媒体。
【０２２０】
【発明の効果】
以上説明したように、本発明によれば、情報処理装置は、情報保持装置が保持する情報をネットワーク経由で取得し、前記情報に対して所定の検索条件で検索し、検索結果に応じた画像形成情報を配信先として指定された画像形成装置に配信する。これにより、情報保持装置が保持する情報に対し、前記所定の検索条件に従って検索し、検索結果に応じて、配信先として指定された画像形成装置へ画像形成情報を配信することで、画像形成装置で情報保持装置の情報を印刷することが可能となる。従って、従来のように、ブラウザを使ってユーザが各Ｗｅｂサーバを閲覧し、必要とする情報を探し出し、その探し出した情報の内容に応じて手動で配信先の画像形成装置を選ぶといった煩わしさを解消することができるという効果がある。
【図面の簡単な説明】
【図１】本発明の第１の実施の形態に係る画像形成装置の構成及び画像形成装置と周辺機器との接続関係を示すブロック図である。
【図２】画像形成装置の内部構造を示す構成図である。
【図３】画像形成装置のコア部の構成を示すブロック図である。
【図４】画像形成装置の操作部に表示される基本画面を示す図である。
【図５】情報処理装置に登録されている検索アドレス・キーワード・検索式・配信先を示す図である。
【図６】情報処理装置の処理を示すフローチャートである。
【図７】本発明の第２の実施の形態に係る情報処理装置の表示装置に表示されるアドレス設定画面を示す図である。
【図８】情報処理装置の表示装置に表示される配信設定画面を示す図である。
【図９】本発明の第３の実施の形態に係る情報処理装置の表示装置に表示される検索設定画面を示す図である。
【図１０】本発明の第４の実施の形態に係る情報処理装置の表示装置に表示されるユーザＩＤ及びパスワード入力画面を示す図である。
【図１１】情報処理装置に記憶されているユーザＩＤ１１１１１用の検索アドレス・キーワード・検索式・配信先・排紙カウンタを示す図である。
【図１２】情報処理装置に記憶されているユーザＩＤ２２２２２用の検索アドレス・キーワード・検索式・配信先・排紙カウンタを示す図である。
【図１３】本発明の第５の実施の形態に係る情報処理装置の表示装置に表示されるユーザ毎のアドレス設定、検索式、配信先、排紙カウンタを示す図である。
【図１４】本発明の第６の実施の形態に係る画像形成装置の構成及び画像形成装置と周辺機器との接続関係を示すブロック図である。
【図１５】画像形成装置に登録されている検索アドレス・キーワード・検索式・配信先を示す図である。
【図１６】画像形成装置の処理を示すフローチャートである。
【図１７】本発明の第７の実施の形態に係る画像形成装置の操作部に表示されるＷｅｂ設定画面を示す図である。
【図１８】画像形成装置の操作部に表示されるアドレス設定画面を示す図である。
【図１９】画像形成装置の操作部に表示される配信設定画面を示す図である。
【図２０】本発明の第８の実施の形態に係る画像形成装置の操作部に表示される検索設定画面を示す図である。
【図２１】本発明の第９の実施の形態に係る画像形成装置の操作部に表示されるユーザＩＤ及びパスワード入力画面を示す図である。
【図２２】画像形成装置に記憶されているユーザＩＤ１１１１１用の検索アドレス・キーワード・検索式・配信先・排紙カウンタを示す図である。
【図２３】画像形成装置に記憶されているユーザＩＤ２２２２２用の検索アドレス・キーワード・検索式・配信先・排紙カウンタを示す図である。
【図２４】本発明の第１０の実施の形態に係る画像形成装置の操作部に表示される履歴画面を示す図である。
【符号の説明】
１  リーダ部
２  プリンタ部
３  コントローラ部
４  ネットワーク（ネットワーク）
１１、４０  情報処理装置（情報処理装置）
１１ａ  ハードディスク（記憶手段）
１１ｂ  入力装置（入力手段）
１１ｃ  表示装置（入力手段、タイミング入力手段、期間入力手段）
１１ｄ  ＣＰＵ（制御手段、取得手段、検索手段）
１３、３０  画像形成装置（第２の画像形成装置）
１００  画像形成装置（画像形成装置、第１の画像形成装置）
２０  Ｗｅｂサーバ（情報保持装置）
３２３  ＣＰＵ（制御手段）
３２４  メモリ（記憶手段）
５００  操作部（入力手段）
【図１】
2004265315.tif 000003
【図２】
2004265315.tif 000004
【図３】
2004265315.tif 000005
【図４】
2004265315.tif 000006
【図５】
2004265315.tif 000007
【図６】
2004265315.tif 000008
【図７】
2004265315.tif 000009
【図８】
2004265315.tif 000010
【図９】
2004265315.tif 000011
【図１０】
2004265315.tif 000012
【図１１】
2004265315.tif 000013
【図１２】
2004265315.tif 000014
【図１３】
2004265315.tif 000015
【図１４】
2004265315.tif 000016
【図１５】
2004265315.tif 000017
【図１６】
2004265315.tif 000018
【図１７】
2004265315.tif 000019
【図１８】
2004265315.tif 000020
【図１９】
2004265315.tif 000021
【図２０】
2004265315.tif 000022
【図２１】
2004265315.tif 000023
【図２２】
2004265315.tif 000024
【図２３】
2004265315.tif 000025
【図２４】
2004265315.tif 000026